(57)【特許請求の範囲】
【請求項１】
(a1) 互いから空間的に分離された複数の遠隔アンテナユニットであって、各遠隔アンテナユニットがそれぞれのカバレージエリアに関連付けられる、複数の遠隔アンテナユニットと、
(a2) 前記複数の遠隔アンテナユニットから選択された遠隔アンテナユニットの第１のグループであって、第１のキャリア上でセクタ識別（ＩＤ）をもつダウンリンク送信をサイマルキャストするようになされた前記第１のグループと、ここにおいて、前記セクタＩＤは、擬似ランダムノイズ（ＰＮ）コードである、および、
(a3) 前記複数の遠隔アンテナユニットから選択された遠隔アンテナユニットの第２のグループであって、前記第２のグループが、前記第１のキャリアとは異なる第２のキャリア上で、前記セクタＩＤをもつ、ダウンリンク送信をサイマルキャストするようになされた第２のグループと、
(a4) ここにおいて、前記第２のグループの少なくとも１つの遠隔アンテナユニットは、前記第１のグループの前記複数の遠隔アンテナユニットに関連付けられたそれぞれのカバレージエリアとは異なるそれぞれのカバレージエリアに関連付けられており、
(a5) ここにおいて、前記第２のグループの少なくとも１つの遠隔アンテナユニットは、前記第１のグループの少なくとも１つの遠隔アンテナユニットに関連付けられたそれぞれのカバレージエリアと同じそれぞれのカバレージに関連付けられている、
を備える分散アンテナシステム。
【請求項２】
前記複数の遠隔アンテナユニットが、少なくとも１つの基地局と通信可能に結合される、請求項１に記載の分散アンテナシステム。
【請求項３】
前記基地局が、前記第１のグループおよび前記第２のグループ用の前記サイマルキャストダウンリンク送信を円滑にするためのＲＦ接続マトリックスと結合される、請求項２に記載の分散アンテナシステム。
【請求項４】
前記ＲＦ接続マトリックスが、
第１のキャリア上での送信のために１つまたは複数の遠隔アンテナユニットに第１のダウンリンク送信をルーティングするようになされた第１のキャリア固有ＲＦ接続マトリックスモジュールと、
第２のキャリア上での送信のために１つまたは複数の遠隔アンテナユニットに第２のダウンリンク送信をルーティングするようになされた第２のキャリア固有ＲＦ接続マトリックスモジュールとを備える、請求項３に記載の分散アンテナシステム。
【請求項５】
前記基地局が、前記第１のグループおよび前記第２のグループ用の前記サイマルキャストダウンリンク送信を円滑にするための統合された基地局サイマルキャストコントローラモジュールを含む、請求項２に記載の分散アンテナシステム。
【請求項６】
前記複数の遠隔アンテナユニットが各々、それぞれの基地局に通信可能に結合され、各それぞれの基地局が、前記第１のグループおよび前記第２のグループ用の前記サイマルキャストダウンリンク送信を円滑にするための基地局サイマルキャストコントローラモジュール装置と結合される、請求項２に記載の分散アンテナシステム。
【請求項７】
前記第１のグループに含まれる少なくとも１つの遠隔アンテナユニットが、遠隔アンテナユニットの前記第２のグループにも含まれ、前記第１のグループを用いる前記第１のキャリア上と、前記第２のグループを用いる前記第２のキャリア上の両方でのダウンリンク送信をサイマルキャストするようになされる、請求項１に記載の分散アンテナシステム。
【請求項８】
ワイヤレス通信のための方法であって、
セクタ識別（ＩＤ）を利用する２つ以上の遠隔アンテナユニットからなる第１のグループを用いて、第１のキャリア上で複数のダウンリンク送信をサイマルキャストすることと、ここにおいて、前記セクタＩＤは、擬似ランダムノイズ（ＰＮ）コードである、および、
前記セクタＩＤを利用する２つ以上の遠隔アンテナユニットからなる第２のグループを用いて、第２のキャリア上で複数のダウンリンク送信をサイマルキャストすること、
ここにおいて、前記第２のグループの少なくとも１つの遠隔アンテナユニットは、前記第１のグループの前記複数の遠隔アンテナユニットに関連付けられたそれぞれのカバレージエリアとは異なるそれぞれのカバレージエリアに関連付けられる、
ここにおいて、前記第２のグループの少なくとも１つの遠隔アンテナユニットは、前記第１のグループの少なくとも１つの遠隔アンテナユニットに関連付けられたそれぞれのカバレージエリアと同じそれぞれのカバレージに関連付けられる、
を備える方法。
【請求項９】
少なくとも１つのネットワークトラフィックパラメータに応じて、前記第１のグループ、前記第２のグループ、または前記第１のグループと前記第２のグループの両方用の少なくとも１つの遠隔アンテナユニットを変更することをさらに備える、請求項８に記載の方法。
【請求項１０】
セクタ識別（ＩＤ）を利用する２つ以上の遠隔アンテナユニットからなる第１のグループを用いて、第１のキャリア上でダウンリンク送信をサイマルキャストする手段と、ここにおいて、前記セクタＩＤは、擬似ランダムノイズ（ＰＮ）コードである、および、
前記セクタＩＤを利用する２つ以上の遠隔アンテナユニットからなる第２のグループを用いて、第２のキャリア上でダウンリンク送信をサイマルキャストする手段であって、前記第２のグループの少なくとも１つの遠隔アンテナユニットが、前記第１のグループの前記遠隔アンテナユニットに関連付けられたそれぞれのカバレージエリアとは異なるそれぞれのカバレージエリアに関連付けられ、
前記第２のグループの少なくとも１つの遠隔アンテナユニットが、前記第１のグループの少なくとも１つの遠隔アンテナユニットに関連付けられたそれぞれのカバレージエリアと同じそれぞれのカバレージに関連付けられる、手段と
を備える分散アンテナシステム。
【請求項１１】
少なくとも１つのネットワークトラフィックパラメータに応じて、前記第１のグループ、前記第２のグループ、または前記第１のグループと前記第２のグループの両方用の少なくとも１つの遠隔アンテナユニットを変更するための手段をさらに備える、請求項１０に記載の分散アンテナシステム。
【請求項１２】
コンピュータ可読媒体であって、
セクタ識別（ＩＤ）を利用する２つ以上の遠隔アンテナユニットからなる第１のグループを用いて、第１のキャリア上でダウンリンク送信をサイマルキャストするための命令と、ここにおいて、前記セクタＩＤは、擬似ランダムノイズ（ＰＮ）コードである、および、
前記セクタＩＤを利用する２つ以上の遠隔アンテナユニットからなる第２のグループを用いて、第２のキャリア上でダウンリンク送信をサイマルキャストするための命令であって、前記第２のグループの少なくとも１つの遠隔アンテナユニットが、前記第１のグループの前記遠隔アンテナユニットに関連付けられたそれぞれのカバレージエリアとは異なるそれぞれのカバレージエリアに関連付けられ、
前記第２のグループの少なくとも１つの遠隔アンテナユニットが、前記第１のグループの少なくとも１つの遠隔アンテナユニットに関連付けられたそれぞれのカバレージエリアと同じそれぞれのカバレージに関連付けられる、命令と
を記録した、上記コンピュータ可読媒体。
【請求項１３】
少なくとも１つのネットワークトラフィックパラメータに応じて、前記第１のグループ、前記第２のグループ、または前記第１のグループと前記第２のグループの両方用の少なくとも１つの遠隔アンテナユニットを変更するための命令をさらに記録した、請求項１２に記載のコンピュータ可読媒体。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１１年１０月１４日に出願した「Ｂａｓｅ  Ｓｔａｔｉｏｎ  Ｍｏｄｅｍ  Ａｒｃｈｉｔｅｃｔｕｒｅ  ｆｏｒ  Ｓｉｍｕｌｃａｓｔｉｎｇ  ａｎｄ  Ｄｅ−Ｓｉｍｕｌｃａｓｔｉｎｇ  ｉｎ  ａ  Ｄｉｓｔｒｉｂｕｔｅｄ  Ａｎｔｅｎｎａ  Ｓｙｓｔｅｍ」と題する米国仮出願第６１／５４７，６３９号の優先権を主張する。本特許出願は、本出願の譲受人に譲渡され、参照により本明細書に明確に組み込まれる、２０１１年１２月１６日に出願した「Ｄｅｖｉｃｅｓ，  Ｍｅｔｈｏｄｓ，  ａｎｄ  Ｓｙｓｔｅｍｓ  ｆｏｒ  Ｓｉｍｕｌｃａｓｔｉｎｇ  ｉｎ  Ｄｉｓｔｒｉｂｕｔｅｄ  Ａｎｔｅｎｎａ  Ｓｙｓｔｅｍｓ（ＤＡＳ）  ｔｏ  Ｉｍｐｒｏｖｅ  Ｎｅｔｗｏｒｋ  Ｕｔｉｌｉｚａｔｉｏｎ」と題する米国仮出願第６１／５７６，８３６号の優先権も主張する。
【０００２】
本開示の態様は、一般にワイヤレス通信システムに関し、より詳細には、ワイヤレス通信システムにおける送信のサイマルキャストおよびデサイマルキャストに関する。
【背景技術】
【０００３】
従来のワイヤレス通信システムにおいて、送受信基地局（ＢＴＳまたは基地局）は、モバイルユニット（たとえば、アクセス端末）とアクセスネットワークとの間のワイヤレス通信を円滑にする。典型的な基地局は、モバイルユニットに無線信号を送り（すなわち、ダウンリンク送信）、モバイルユニットから無線信号を受信する（すなわち、アップリンク送信）ための複数のトランシーバユニットおよびアンテナを含む。基地局は一般に、大規模な地理的エリアにわたる通信カバレージを戦略的に最大化するように配置される。一般に、基地局は、バックホール(backhaul)接続により電話ネットワークに通信可能に結合される。
【０００４】
ワイヤレス通信システムの信頼性およびスループットについての要求事項が増え続けているので、高品質サービスでの高データレートセルラーアクセスを提供するためのソリューションおよび方法が所望される。いくつかの環境では、ただ１つの基地局によってエリアをカバーするのではなく、共通基地局によって制御される複数の遠隔アンテナユニット（remote antenna units：ＲＡＵ）によって同じカバレージが提供される、分散アンテナシステム（distributed antenna system：ＤＡＳ）が利用され得る。言い換えると、分散アンテナシステム（ＤＡＳ）とは、空間的に分離されたアンテナノードまたは遠隔アンテナユニット（ＲＡＵ）が移送媒体により共通ソースに接続されるネットワークである。分散アンテナシステム（ＤＡＳ）を利用するワイヤレス通信システムはしたがって、地理的エリアまたは構造内で改良ワイヤレスサービスを提供することができる。分散アンテナシステム（ＤＡＳ）アーキテクチャ構成のいくつかの利点は、たとえば、信頼性向上、総電力削減、容量増大の可能性、および遠隔アンテナユニット（ＲＡＵ）と端末デバイスとの間のより頻繁に起こる見通し（line-of-sight:ＬＯＳ）状態を含む。
【０００５】
分散アンテナシステム（ＤＡＳ）アーキテクチャは、いくつかの利益をワイヤレス通信システムにもたらし得るが、そのような分散アンテナシステム（ＤＡＳ）の最大限の能力は、追加特徴によって拡張され得る。
【発明の概要】
【０００６】
本開示の１つまたは複数の態様は、ワイヤレス通信システムの性能を向上させるように適合された(adapted to)サイマルキャスト構成を含む分散アンテナシステムを提供する。１つまたは複数の例において、分散アンテナシステムは、互いから(from one another)空間的に分離された複数の遠隔アンテナユニットを含み得る。複数の遠隔アンテナユニットから選択された遠隔アンテナユニットの第１のグループは、第１のキャリア上で、特定のセクタ識別（sector identity:ＩＤ）をもつダウンリンク送信をサイマルキャストするように適合され(adapted to)得る。さらに、遠隔アンテナユニットの第２のグループも、複数の遠隔アンテナユニットから選択されてよく、第１のキャリアとは異なる第２のキャリア上で、同じセクタＩＤをもつダウンリンク送信をサイマルキャストするように適合され得る。第２のグループは、第１のグループの遠隔アンテナユニットとは異なる少なくとも１つの遠隔アンテナユニットを含み得る。
【０００７】
１つまたは複数のさらなる例において、分散アンテナシステムは、互いから空間的に分離された複数の遠隔アンテナユニットを含み得る。互いと(to one another)隣接しないそれぞれのカバレージエリアをもつ少なくとも２つの遠隔アンテナユニットは、ダウンリンク送信をサイマルキャストするように適合される。
【０００８】
さらなる態様は、ワイヤレス通信のための方法および／またはそのような方法を実施するための手段を含む分散アンテナシステムを含む。そのような方法の１つまたは複数の例は、セクタ識別（ＩＤ）を利用する、２つ以上の遠隔アンテナユニットからなる第１のグループを用いて、第１のキャリア上でダウンリンク送信をサイマルキャストすることを含み得る。ダウンリンク送信は、同じセクタＩＤを利用する、２つ以上の遠隔アンテナユニットからなる第２のグループを用いて、第２のキャリア上でサイマルキャストすることもでき、第２のグループの少なくとも１つの遠隔アンテナユニットは、第１のグループの遠隔アンテナユニットとは異なる。
【０００９】
ワイヤレス通信のための方法の１つまたは複数の追加例において、ダウンリンク送信は、第１の遠隔アンテナユニットと第２の遠隔アンテナユニットがサイマルキャストグループを形成するように、第１の遠隔アンテナユニットを用いて、および第２の遠隔アンテナユニットを用いてサイマルキャストすることができる。第２の遠隔アンテナユニットは、第２の遠隔アンテナユニットに関連付けられたカバレージエリアが第１の遠隔アンテナユニットに関連付けられたカバレージエリアに隣接しないように位置付けることができる。
【図面の簡単な説明】
【００１０】
【図１】本開示の１つまたは複数の態様が適用され得る少なくとも１つの例によるネットワーク環境を示すブロック図。
【図２】３つの異なるキャリアの各々が、異なるサイマルキャスト配信で構成される、分散アンテナシステムにおける時差サイマルキャスト配信の少なくとも１つの例を示すブロック図。
【図３】ワイヤレス通信のための方法の少なくとも１つの例を示す流れ図。
【図４】母集団が少なくとも実質的にグループとして移動する地理的エリア内で利用可能な分散アンテナシステムアーキテクチャの少なくとも１つの例を示すブロック図。
【図５】ワイヤレス通信のための方法の少なくとも１つの例を示す流れ図。
【図６】少なくとも１つの例によるネットワークエンティティの選択構成要素を示すブロック図。
【図７】分散アンテナシステム（ＤＡＳ）についての、本明細書に記載する特徴のうちの１つまたは複数を実行するための、ＲＦ接続マトリックスとともに動作するように適合された基地局の少なくとも１つの例の選択構成要素を示す簡略化したブロック図。
【図８】図７のＲＦ接続マトリックスの少なくとも１つの例に関する選択詳細を示すブロック図。
【図９】図７のＲＦ接続マトリックスの少なくとも１つの他の例に関する選択詳細を示すブロック図。
【図１０】ＲＦ接続マトリックス上で動作可能な方法の少なくとも１つの例を示す流れ図。
【図１１】少なくとも１つの例による、統合された基地局サイマルキャストコントローラモジュールを含む基地局を示すブロック図。
【図１２】少なくとも１つの例による、統合された基地局サイマルキャストコントローラモジュールを含む、図１１の基地局に関する追加詳細を示すブロック図。
【図１３】基地局上で動作可能な方法の少なくとも１つの例を示す流れ図。
【図１４】複数の基地局と通信するように適合された処理システムとして実行される基地局サイマルキャストコントローラモジュールを利用する分散アンテナシステム（ＤＡＳ）の少なくとも１つの例の選択構成要素を示すブロック図。
【図１５】基地局サイマルキャストコントローラモジュール上で動作可能な方法の少なくとも１つの例を示す流れ図。
【発明を実施するための形態】
【００１１】
添付の図面とともに以下で説明される、発明を実施するための形態は、様々な構成を説明するものであり、本明細書に記載された概念が実施され得る唯一の構成を表すものではない。以下の説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている回路、構造、技法および構成要素がブロック図の形式で示される。
【００１２】
以下の説明において、特定の用語が、いくつかの特徴を記述するために使われる。たとえば、「基地局」および「アクセス端末」という用語が、本明細書で使用され、広く解釈されるものとする。たとえば、「基地局」は概して、（たとえば、１つまたは複数のアクセス端末のために）通信またはデータネットワークへのワイヤレス接続性を可能にするデバイスを指す。基地局は、１つまたは複数の遠隔アンテナユニットとインターフェースをとることが可能であり得る。基地局は、当業者によって、アクセスポイント、送受信基地局（ＢＴＳ）、無線基地局、無線トランシーバ、トランシーバ機能、基本サービスセット（ＢＳＳ）、拡張サービスセット（ＥＳＳ）、ノードＢ、ｅノードＢ、フェムトセル、ピコセル、または何らかの他の好適な用語で呼ばれることもある。
【００１３】
「アクセス端末」は概して、ワイヤレス信号を通して１つまたは複数の他のデバイスと通信する１つまたは複数のデバイスを指す。アクセス端末の例として、モバイル電話、ページャ、ワイヤレスモデム、携帯情報端末、個人情報マネージャ（ＰＩＭ）、パーソナルメディアプレーヤ、パームトップコンピュータ、ラップトップコンピュータ、タブレットコンピュータ、テレビ、アプライアンス、ｅリーダ、デジタルビデオレコーダ（ＤＶＲ）、マシンツーマシン（Ｍ２Ｍ）対応デバイス、および／または少なくとも部分的にはワイヤレスもしくはセルラーネットワークを通して通信する他の通信／コンピューティングデバイスがある。
【００１４】
図１は、本開示の１つまたは複数の態様が適用され得るネットワーク環境を示すブロック図である。ワイヤレス通信システム１００は、分散アンテナシステム（ＤＡＳ）アーキテクチャで実行されてよく、１つまたは複数の従来の電気通信システム、ネットワークアーキテクチャ、および／または通信規格に従って構成され得る。限定ではなく例として、ワイヤレス通信システム１００は、エボリューションデータ最適化（ＥＶ−ＤＯ）、ユニバーサルモバイル電気通信システム（ＵＭＴＳ）、（ＦＤＤ、ＴＤＤ、もしくは両方のモードでの）ロングタームエボリューション（ＬＴＥ）、（ＦＤＤ、ＴＤＤ、もしくは両方のモードでの）ＬＴＥアドバンスト（ＬＴＥ−Ａ）、ＣＤＭＡ２０００、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、超広帯域（ＵＷＢ）、Ｂｌｕｅｔｏｏｔｈ（登録商標）、および／または他の適したシステムのうちの１つまたは複数に従って構成され得る。採用される実際の電気通信システム、ネットワークアーキテクチャ、および／または通信規格は、特定の適用例およびシステム１００に課せられる全体的な設計制約に依存することになる。
【００１５】
ワイヤレス通信システム１００は概して、複数の遠隔アンテナユニット（ＲＡＵ）１０２と、１つまたは複数の基地局１０４と、基地局コントローラ（ＢＳＣ）１０６と、公衆交換電話網（ＰＳＴＮ）への（たとえば、移動交換センター／在圏ロケーションレジスタ（ＭＳＣ／ＶＬＲ）を介して）、および／またはＩＰネットワークへの（たとえば、パケットデータ交換ノード（ＰＤＳＮ）を介して）アクセスを提供するコアネットワーク１０８とを含む。システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、シングルキャリア周波数分割多元接続（ＳＣ−ＦＤＭＡ）信号などであり得る。各被変調信号は、異なるキャリア上で送られ得、制御情報（たとえば、パイロット信号）、オーバーヘッド情報、データなどを搬送し得る。
【００１６】
遠隔アンテナユニット１０２は、１０２−ａ、１０２−ｂおよび１０２−ｃとして識別され、１つまたは複数のアクセス端末１１０とワイヤレス通信するように適合される。図示するように、遠隔アンテナユニット１０２−ａ、１０２−ｂ、１０２−ｃの各々は、互いとは(from each other)空間的に分離され、移送媒体１１２を介して共通基地局１０４に接続される。移送媒体１１２は、様々な例においてファイバケーブルおよび／または光ケーブルを含み得る。したがって、基地局１０４は、１つまたは複数のアクセス端末１１０と通信するために、複数の遠隔アンテナユニット１０２−ａ、１０２−ｂ、１０２−ｃに信号を能動的に配信すればよい。
【００１７】
基地局１０４は、遠隔アンテナユニット１０２−ａ、１０２−ｂ、１０２−ｃを用いて、および基地局コントローラ１０６の制御下で、複数のキャリアを介してアクセス端末１１０と通信するように構成され得る。基地局１０４は、本明細書においてセルと呼ばれる、それぞれの地理的エリア用の通信カバレージを提供することができる。セルは、対応するセクタ１１４−ａ、１１４−ｂおよび１１４−ｃによって示されるように、各遠隔アンテナユニット１０２−ａ、１０２−ｂ、１０２−ｃのそれぞれのカバレージエリアによって形成されるセクタ１１４に分割され得る。
【００１８】
少なくともいくつかの例において、基地局１０４は、遠隔アンテナユニット１０２−ａ、１０２−ｂ、１０２−ｃのうちの２つ以上を利用して、本質的に同じ信号を送信するように適合されてよく、この信号は、可能性としては単一のアクセス端末１１０において受信される。このタイプの送信は一般に、サイマルキャスト(simulcast)と呼ばれる。たとえば、基地局１０４は、２つの遠隔アンテナユニット１０２−ａおよび１０２−ｂからダウンリンク信号を送信してよい。各遠隔アンテナユニット１０２−ａ、１０２−ｂからの信号が、理想的には受信アクセス端末１１０において強め合うように合わさるので、サイマルキャストは、受信アクセス端末１１０における信号対干渉雑音比（ＳＩＮＲ）を向上させ得る。さらに、サイマルキャストされた送信すべてが、地勢または減衰により阻止される可能性は、単一の遠隔アンテナユニット１０２からの送信の場合よりも低い。遠隔アンテナユニット１０２−ａおよび１０２−ｂがダウンリンク信号をサイマルキャストするケースでは、セクタ１１４−ａおよび１１４−ｂによって示される２つのエリアは、単一のセクタになってよく、単一のセクタ識別（たとえば、単一の擬似ランダムノイズ（ＰＮ）コード）を利用することができる。
【００１９】
基地局１０４は、異なる遠隔アンテナユニット１０２−ａ、１０２−ｂ、１０２−ｃから異なる信号を送信するようにも適合され得る。このタイプの送信は一般に、デサイマルキャスト(de-simulcasting)と呼ばれる。たとえば、基地局１０４は、遠隔アンテナユニット１０２−ｃから異なるダウンリンク信号を送信するように適合され得る。デサイマルキャストは、その他の遠隔アンテナユニット１０２−ａ、１０２−ｂによって使われるものと同じ搬送周波数を使って、または異なる搬送周波数を使って実施することができる。デサイマルキャストは、単位エリアごとのデータレートを増大させることによって、ワイヤレス通信システム１００の容量を向上させ得る。つまり、特定の地理的エリアを担当する各遠隔アンテナユニット１０２−ａ、１０２−ｂ、１０２−ｃが異なる信号を送信しているとき、より多数のアクセス端末１１０がシステム１００によって担当(serve)され得る。遠隔アンテナユニット１０２−ａ、１０２−ｂ、１０２−ｃがダウンリンク信号をデサイマルキャストするように適合されるケースでは、各エリア１１４−ａ、１１４−ｂ、１１４−ｃは、個々および別個のセクタＩＤを利用する。
【００２０】
上述したように、複数の遠隔アンテナユニットがダウンリンク送信をサイマルキャストするように適合されてよく、ここでサイマルキャスト遠隔アンテナユニットの各グループはセクタを形成する。本明細書で使用するように、複数のサイマルキャスト遠隔アンテナユニットは、共通擬似ランダムノイズ（ＰＮ）コードなどの共通セクタ識別を利用することによってセクタを形成し得る。図２は、ダウンリンク送信をサイマルキャストするためにグループになって作用する複数の遠隔アンテナユニット（図１の遠隔アンテナユニット１０２−ａ、１０２−ｂ、１０２−ｃなど）を含むカバレージエリア２００を示すブロック図である。図示するように、各六角形は、無線信号を送信および受信するための１つの遠隔アンテナユニットに関連付けられたカバレージエリアを表す。さらに、各遠隔アンテナユニット（すなわち、各六角形）は、サイマルキャストダウンリンク送信のためのグループを形成する１つまたは複数の他の遠隔アンテナユニット（すなわち、１つまたは複数の他の六角形）に関連付けられる。２つ以上の遠隔アンテナユニットからなる各サイマルキャストグループは、単一のセクタを形成するために、共通セクタＩＤを利用することができる。図２によって示される例では、カバレージエリア２００は、１９個の異なるサイマルキャストグループ（たとえば、一意のハッチパターンで各々が示されるセクタＡ〜Ｓ）で構成され、各サイマルキャストグループは、３つの遠隔アンテナユニットを含む。
【００２１】
本開示の特徴によると、カバレージエリア２００は、複数の異なるキャリア（たとえば、異なる周波数の異なる波形信号）の各々に対して異なるサイマルキャストグループ構成を利用するように構成され得る。言い換えると、第１のキャリア用の特定のセクタＩＤをもつサイマルキャストダウンリンク送信に利用される遠隔アンテナユニットは、第２のキャリア用の同じセクタＩＤをもつダウンリンク送信をサイマルキャストするために利用される遠隔アンテナユニットとは異なり得る。この特徴については、図２に示す３つの異なる図面によって示される非限定的例を参照することによって、さらに理解することができよう。
【００２２】
図２の上の図は、カバレージエリア２００内の第１のキャリア用のサイマルキャストグループ配信を示す。図示するように、遠隔アンテナユニットは、１９個の異なるサイマルキャストグループにグループ化され、各グループは異なるセクタＩＤ（たとえば、セクタＩＤ  Ａ〜Ｓ）を利用する。各グループは、３つの異なる遠隔アンテナユニットを含み、共通セクタＩＤを使う第１のキャリア用のダウンリンク送信をサイマルキャストする。たとえば、第１のキャリア用のセクタＩＤ「Ａ」をもつダウンリンク送信をサイマルキャストするように適合されたグループを形成する遠隔アンテナユニットは、ハッチパターンなしで示される中央の３つの遠隔アンテナユニットを含むように示され、矢印２０２で示される。同様に、第１のキャリア用のセクタＩＤ「Ｐ」をもつダウンリンク送信をサイマルキャストするように適合されたグループを形成する遠隔アンテナユニットは、カバレージエリア２００の上および中央に置かれた３つの遠隔アンテナユニットを含むように示され、垂直線のハッチパターンで示され、矢印２０４で示される。
【００２３】
図２の中央の図では、第２のキャリア用のサイマルキャストグループ配信が、同じカバレージエリア２００について示されている。この例では、同じ１９個の異なるセクタＩＤが利用される（たとえば、セクタＩＤ  Ａ〜Ｓ）。ただし、第２のキャリアに対して、各サイマルキャストグループ（たとえば、各セクタＩＤ）は、ダウンリンク送信をサイマルキャストするための３つの遠隔アンテナユニットからなる異なるグループを利用する。たとえば、図２によって示される例において、第２のキャリア用のセクタＩＤ「Ａ」をもつダウンリンク送信をサイマルキャストするように適合されたグループを形成する遠隔アンテナユニット（矢印２０６で示される）は、第１のキャリア用の同じセクタＩＤ「Ａ」をもつ、サイマルキャストに利用される遠隔アンテナユニットとは異なる２つの遠隔アンテナユニットを含むように示される。この例では、サイマルキャストグループの各々は、上および右にシフトされる。
【００２４】
第２のキャリアをもついくつかのサイマルキャストグループに対して、サイマルキャストグループの３つの遠隔アンテナユニットが、第１のキャリアの場合のように互いと隣接しなくなるように、遠隔アンテナユニットが分離される。たとえば、第２のキャリア用のセクタＩＤ「Ｐ」をもつ、ダウンリンク送信をサイマルキャストするために利用される遠隔アンテナユニットのグループは、カバレージエリア２００の上および中央における１つの遠隔アンテナユニット２０８と、カバレージエリア２００の左下における２つの他の遠隔アンテナユニット２１０とを含むように示される。
【００２５】
図２の下の図は、同じカバレージエリア２００に対する第３のキャリア用のサイマルキャストグループ配信を示す。この例では、同じ１９個の異なるセクタＩＤが利用される（たとえば、セクタＩＤ  Ａ〜Ｓ）。ただし、第３のキャリアに対して、各サイマルキャストグループ（たとえば、各セクタＩＤ）は、ダウンリンク送信をサイマルキャストするための３つの遠隔アンテナユニットからなるさらに別の異なるグループを利用する。たとえば、図２によって示される例において、第３のキャリア用のセクタＩＤ「Ａ」をもつ、ダウンリンク送信をサイマルキャストするように適合されたグループを形成する遠隔アンテナユニット（矢印２１２で示される）は、第１または第２のキャリア用の同じセクタＩＤをもつ、サイマルキャストに利用される遠隔アンテナユニットとは異なる２つの遠隔アンテナユニットを含むように示される。この例では、サイマルキャストグループの各々は、上および左にシフトされる。
【００２６】
中央の図の場合と同様に、下の図は、空間的に分離されるとともに互いとそれ以上隣接しない遠隔アンテナユニットを含むいくつかのサイマルキャストグループを含む。たとえば、第３のキャリア用のセクタＩＤ「Ｐ」をもつ、ダウンリンク送信をサイマルキャストするために利用される遠隔アンテナユニットのグループは、カバレージエリア２００の上および中心における１つの遠隔アンテナユニット２１４と、カバレージエリア２００の左下側における１つの遠隔アンテナユニット２１６と、カバレージエリア２００の右下側における１つの遠隔アンテナユニット２１８とを含むように示される。
【００２７】
サイマルキャスト構成が３：１の比（すなわち、３つの遠隔アンテナユニットに対して１つのセクタ）を有する、図示する例において、異なるキャリア用に異なるサイマルキャストグループ配信を提供することによって、信号対干渉雑音比（ＳＩＮＲ）の大幅な向上が達成され得る。たとえば、従来の分散アンテナシステム（ＤＡＳ）は、３つのすべてのキャリアに対して、図２の３つのサイマルキャストグループ配信構成のうちただ１つを利用する。つまり、従来の分散アンテナシステム（ＤＡＳ）は一般に、３つのすべてのキャリアに対して、上、中央または下の構成のいずれかを使い、カバレージエリア２００にわたって分散されたアクセス端末についての信号対干渉雑音比（ＳＩＮＲ）に対するある程度の向上を達成する。比較すると、上述した構成に従って各キャリアに対して異なるサイマルキャストグループ配信が利用されるサイマルキャストアーキテクチャを利用して、信号対干渉雑音比（ＳＩＮＲ）はさらに改善され得る。限定ではなく例として、アクセス端末の特定の場所向けの最良サイマルキャストパターンを有するキャリアに割り当てられると、地勢において一様に廃棄される、シングルキャリアアクセス端末についての１０％末尾において、記載する構成において、４ｄＢの向上が判定された。
【００２８】
さらに、すべてのキャリアに対して同じサイマルキャストグループ配信(simulcasting group distribution)を利用するのと比較して、図２の３つの異なるサイマルキャストグループ配信を利用することによって、ネットワークスループットにおける全体的利得も得ることができる。記載する構成では、各ユーザにとって最良である、より多くの時間がサイマルキャスト配信に対して割り振られてよく、結果としてネットワークスループットの全体的利得が生じ、１０％末尾スループットが増加する。限定ではなく例として、全体的ネットワークスループットの増加ならびに２７％の１０％末尾スループットの増加が、図２に示す特定の例において判定された。ただし、実行される特定の展開モデルによっては、より小さいまたは大きいスループット利得が可能であり得る。
【００２９】
図２を参照して上述したキャリアの数およびサイマルキャスト配信構成は例にすぎず、基底特徴の様々な実施形態に従って、他の構成および他の数のキャリアも利用され得ることに留意されたい。
【００３０】
本開示の少なくとも１つの態様は、ワイヤレス通信のための方法を含む。図３は、図２を参照して上述した特徴に関連付けられたワイヤレス通信のための方法３００の少なくとも１つの例を示す流れ図である。方法３００は、ステップ３０２で、共通セクタＩＤを利用する２つ以上の遠隔アンテナユニットからなる第１のグループを用いた第１のキャリア上でのサイマルキャストダウンリンク送信を含む。ステップ３０４で、ダウンリンク送信が、同じセクタＩＤを利用する２つ以上の遠隔アンテナユニットからなる第２のグループをもつ第２のキャリア上でサイマルキャストされる。第２のグループの少なくとも１つの遠隔アンテナユニットは、第１のグループを構成する遠隔アンテナユニットとは異なる。
【００３１】
たとえば、図２のグループ２０２は、第１のキャリア上で、セクタＩＤ「Ａ」をもつ、ダウンリンク送信をサイマルキャストする遠隔アンテナユニットからなる第１のグループであってよく、グループ２０６は、第２のキャリア上で、同じセクタＩＤ「Ａ」をもつ、ダウンリンク送信をサイマルキャストする遠隔アンテナユニットからなる第２のグループであってよい。この例において、グループ２０２を構成する遠隔アンテナユニットは、グループ２０６を構成する遠隔アンテナユニットとは異なる。つまり、第２のグループ２０６の遠隔アンテナユニットのうち２つは、第１のグループ２０２を構成する遠隔アンテナユニットとは異なる遠隔アンテナユニットである。この非限定的例において、第１のグループ２０２中の遠隔アンテナユニットのうち１つは、第２のグループ２０６の遠隔アンテナユニットとしても含まれる。
【００３２】
本開示の少なくともいくつかの特徴は、カバレージエリア内でリソースを戦略的に分散することによって、効率を増すことに関する。一般に、特定のエリアについてのスペクトル効率を増すための戦略は、基地局の数の増加だけ、そのエリア内の基地局セクタの数を増大させることを含んでおり、この場合基地局はかなり高価になり得る。ただし、いくつかの事例において、特定のカバレージエリア内のすべての場所は、スペクトル効率の増大を同時には必要としない場合がある。多数の人々が、一緒に移動する傾向があり得ると判断されているので、スペクトル効率の増大は、各瞬間に対して所与のエリアのただ１つの部分において有益になる。たとえば、図４は、集団の大部分が、各日および／または週の一部の間、エリア４０２中およびその周辺に、ならびに各日および／または週の別の一部の間、エリア４０４中およびその周辺に見られ得る地理的カバレージエリア４００を示すブロック図である。たとえば、カバレージエリア４００内の集団の大部分は、集団が仕事に行くので、朝はエリア４０２内に移動する可能性があり、次いで、概して集団が家に戻るので、夜はエリア４０４内に見られ得る。
【００３３】
ある特徴によると、サイマルキャスト配信構成は、カバレージエリア内でリソースを分散する際の効率増大のために実行することができる。たとえば、サイマルキャスト配信構成は、基地局の数を増やすことなく、カバレージエリアの所与の一部におけるセクタの数を増やすことによって、スペクトル効率を増すように実行され得る。
【００３４】
依然として図４を参照すると、複数の遠隔アンテナユニット１０２は、カバレージエリア４００にわたって空間的に分散される。図示する例において、サイマルキャストグループ(simulcasting groups)は、サイマルキャストグループを形成する遠隔アンテナユニット(remote antenna units)のそれぞれのカバレージエリア(coverage areas)が概して互いと隣接しないように地理的に分離される遠隔アンテナユニットで形成される。概して、サイマルキャスト遠隔アンテナユニット(simulcasting remote antenna units)の間の地理的分離(geographic separation)は、サイマルキャストグループの少なくとも１つの遠隔アンテナユニットと通信するアクセス端末が、どの所与のときにも、同じサイマルキャストグループの少なくとも１つの他の遠隔アンテナユニットと通信することができないようなものであってよい。
【００３５】
各サイマルキャストグループが、遠隔アンテナユニットがダウンリンク送信をサイマルキャストするように構成されるためのセクタＩＤを示す文字で図４に示されている。たとえば、２つの遠隔アンテナユニット１０２Ａは、これらの２つの遠隔アンテナユニットが同じセクタＩＤ「Ａ」を使って送信をサイマルキャストするように適合されることを示すように、文字「Ａ」で示される。同様に、２つの遠隔アンテナユニット１０２Ｅは、これらの２つの遠隔アンテナユニットが同じセクタＩＤ「Ｅ」を使って送信をサイマルキャストすることを示すように、文字「Ｅ」で示される。図示するように、２つの遠隔アンテナユニット１０２Ａは、各遠隔アンテナユニット１０２Ａのそれぞれのカバレージエリアが隣接しないように、地理的に分離される。２つの遠隔アンテナユニット１０２Ｅも、同様に地理的に分離される。セクタＩＤ「Ｂ」〜「Ｄ」および「Ｆ」〜「Ｉ」についての同様のサイマルキャストペアも示されており、各ペアについての遠隔アンテナユニットは互いから(from one another)地理的に分離される。
【００３６】
図示する例において、多数のユーザが所与のエリア（たとえば、４０２または４０４）に集中する所ではどこでも、ユーザは複数のセクタによって担当される。たとえば、集団の大多数が（たとえば、朝に）エリア４０２中およびその周辺に見られるとき、集団の大多数は、概してセクタ「Ａ」〜「Ｉ」のすべてによって担当される。集団の大部分が（たとえば、夜に）エリア４０４中およびその周辺のエリアに移動すると、集団の大部分は、概して同じ数のセクタ「Ａ」〜「Ｉ」によって担当される。集団の大多数がネットワーク中を移動すると、すべての遠隔アンテナユニットが大きいスループット要求を受ける確率は低くなる。したがって、図４に示すサイマルキャストパターンを用いると、集団がネットワーク中を少なくとも実質的に一緒に移動するとき、母集団は一般に、８または９つの異なるセクタによって担当される。これは、サイマルキャスト遠隔アンテナユニットが互いと地理的に隣接する典型的な構成において利用可能になるセクタの約２倍の数のセクタである。さらに、エリアごとのセクタの数は、そのエリアを担当する基地局の数を増やさずに増加される。さらに、同じ集団がカバレージエリア４００中でより集中せず、より均一に広がる場合、遠隔アンテナユニット１０２の分散型サイマルキャストパターンにわたるカバレージエリア４００全体を担当するために利用されるセクタ「Ａ」〜「Ｉ」は、集団の要求を満たすのに、依然として十分である。
【００３７】
いくつかの実施形態では、特定のカバレージエリア４００内の遠隔アンテナユニットすべてが、サイマルキャストするように適合されなくてもよいことに留意されたい。そうではなく、多数の可能な構成による、サイマルキャスト遠隔アンテナユニットと、デサイマルキャスト遠隔アンテナユニットの組合せがあり得る。
【００３８】
本開示の少なくとも１つの態様は、ワイヤレス通信のための方法を含む。図５は、図４を参照して上述した特徴に関連付けられたワイヤレス通信のための方法５００の少なくとも１つの例を示す流れ図である。方法５００は、ステップ５０２で、第１の遠隔アンテナユニットを用いてダウンリンク送信をサイマルキャストすることを含む。ステップ５０４で、ダウンリンク送信は、第１の遠隔アンテナユニットと第２の遠隔アンテナユニットがサイマルキャストグループを形成するように、第２の遠隔アンテナユニットを用いてもサイマルキャストされる。第２の遠隔アンテナユニットは、第２の遠隔アンテナユニットに関連付けられたカバレージエリアが第１の遠隔アンテナユニットに関連付けられたカバレージエリアに隣接しないように置かれる。
【００３９】
たとえば、図４の参照番号１０２Ａによって識別される複数の遠隔アンテナユニットが、ダウンリンク送信をサイマルキャストすることができる。図示するように、２つの遠隔アンテナユニット１０２Ａのカバレージエリア（各それぞれの六角形によって示される）は、互いと隣接しない。
【００４０】
少なくとも１つの特徴によると、図２〜図５を参照して上述したサイマルキャスト配信構成およびワイヤレス通信のための関連方法は動的に構成することができる。いくつかの事例において、ネットワーク（たとえば、基地局、基地局コントローラなど）は、１つまたは複数のパラメータ（たとえば、干渉、トラフィック要求統計など）を測定し、安定性と各ユーザへの、ならびにネットワークへのスループットとを全体として増すために、サイマルキャストグループ構成を地勢にわたって、およびキャリアにわたってどのように配置するか判断することができる。たとえば、サイマルキャストグループ中の少なくとも１つの遠隔アンテナユニットは、１つまたは複数のネットワークトラフィックパラメータに応じて変更してよい。つまり、少なくとも１つのネットワークトラフィックパラメータに応じて、１つまたは複数の遠隔アンテナユニットがサイマルキャストグループに追加され、かつ／または削除されてよい。
【００４１】
たとえば、カバレージエリア内で動作するアクセス端末が、エリアを通して一様に散在されないということが起こり得る。たとえば、特定の領域内のアクセス端末が、１つまたは複数のハンドオフ境界(handoff boundaries)に沿って（たとえば、図２の上の図におけるサイマルキャストグループ「Ｃ」と「Ｐ」との間の領域に沿って）特定の時間に特にアクティブであると、ネットワークによって判断される場合がある。そのような事例では、サイマルキャストグループ配信を動的に変更することが有益であり得る。たとえば、サイマルキャストグループ配信は、それらのアクセス端末に対するスループットと容量とを最適化するサイマルキャストグループ配信を利用するように、ネットワークによって動的に修正することができる。図２にある例において、たとえば、キャリアのうち２つまたは３つのすべてのキャリアさえも、上で示した１つまたは複数のハンドオフ境界に沿って置かれたアクセス端末に対してスループットと容量とを最適化すると判断された同じサイマルキャストグループ配信を利用するように、グループ配信を動的に変更することが有益であり得る。つまり、ネットワークは、異なるキャリア構成のうちのいずれかのための異なるグループのうちいずれかの中の少なくとも１つの遠隔アンテナユニットを変更することができる。ネットワークダイナミクスがより一様に散在されたアクセス端末分散に戻ると、サイマルキャスト配信構成は、図２に示す３つの構成、またはいくつかの他の構成に戻り得る。
【００４２】
図４の例において、ネットワークは、モバイル集団（mobile population）の移動を識別し、サイマルキャストグループ構成を、母集団を収容するように応答可能に適応させるように適合され得る。たとえば、ネットワークは、特定のエリアでのアクセス端末の大規模集中を識別することができる。たとえば、スポーツ大会、コンサート、または他の催し物が特定の会場で計画され、集団が概してグループになって一緒に移動し、その会場の中およびその周辺に集中する場合がある。ネットワークは、集団におけるこの移動を識別することができ、集中した集団向けのネットワーク性能を向上させるために会場周辺のエリアにとって利用可能なセクタの数を増やすために、図４によって示される構成と同様のサイマルキャストグループ構成を展開することができる。つまり、ネットワークは、たとえば、少なくとも１つのネットワークトラフィックパラメータに応じて、サイマルキャストグループに１つもしくは複数の遠隔アンテナユニットを追加し、かつ／または１つもしくは複数の遠隔アンテナユニットを削除することによって、どの遠隔アンテナユニットがサイマルキャストするかを変更することができる。
【００４３】
上述したワイヤレス通信のための様々な特徴、サイマルキャスト構成および方法は、１つまたは複数のネットワークエンティティによって実行することができる。そのような１つまたは複数のネットワークエンティティは概して、１つまたは複数の処理システムを用いて実行することができる。図６は、少なくとも１つの例による処理システム６００の選択構成要素を示すブロック図である。処理システム６００は概して、通信インターフェース６０４と記憶媒体６０６とに結合された処理回路６０２を含み得る。少なくともいくつかの例において、処理回路６０２は、通信インターフェース６０４および記憶媒体６０６に、概してバス６０８によって表されるバスアーキテクチャで結合され得る。バス６０８はまた、タイミングソース、周辺機器、電圧調整器、および電力管理回路など、様々な他の回路をリンクし得るが、これらの回路は当技術分野においてよく知られており、したがって、これ以上説明しない。
【００４４】
処理回路６０２は、データを取得し、処理しおよび／または送り、データアクセスおよび記憶を制御し、コマンドを発行し、他の所望の動作を制御するように構成される。処理回路６０２は、少なくとも１つの実施形態において適切な媒体によって与えられる所望のプログラミングを実行するように構成された回路を含み得る。たとえば、処理回路６０２は、プロセッサ、コントローラ、たとえばソフトウェアおよび／またはファームウェア命令を含む実行可能命令を実行するように構成された複数のプロセッサおよび／または他の構造、ならびに／あるいはハードウェア回路のうちの１つまたは複数として実行され得る。処理回路６０２の例は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実施するように設計されたそれらの任意の組合せを含み得る。汎用プロセッサはマイクロプロセッサであり得るが、代替として、プロセッサは、任意の従来のプロセッサ、コントローラ、マイクロコントローラ、または状態機械であり得る。プロセッサはまた、ＤＳＰとマイクロプロセッサとの組合せ、複数のマイクロプロセッサ、ＤＳＰコアと連携する１つまたは複数のマイクロプロセッサ、あるいは任意の他のそのような構成など、コンピューティング構成要素の組合せとして実行され得る。処理回路６０２のこれらの例は説明のためであり、本開示の範囲内の他の好適な構成も企図される。
【００４５】
処理回路６０２は、記憶媒体６０６上に記憶することができるプログラミングの実行を含む処理になされる。本明細書において使われるように、「プログラミング」という用語は、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを限定なしで含むと広く解釈されたい。
【００４６】
通信インターフェース６０４は、処理システム６００のワイヤードおよび／またはワイヤレス通信を可能にするように構成される。たとえば、通信インターフェース６０４は、１つまたは複数の他の処理システムに関して情報の通信を双方向に円滑にするように回路構成および／またはプログラミングを含み得る。通信インターフェース６０４がワイヤレス通信を円滑にするように構成される事例において、通信インターフェース６０４は１つまたは複数のアンテナ（図示せず）に結合されてよく、少なくとも１つの受信機回路６１０（たとえば、１つもしくは複数の受信機チェーン）および／または少なくとも１つの送信機回路６１２（たとえば、１つもしくは複数の送信機チェーン）を含むワイヤレストランシーバ回路構成を含み得る。
【００４７】
記憶媒体６０６は、プロセッサ実行可能コードまたは命令（たとえば、ソフトウェア、ファームウェア）、電子データ、データベース、または他のデジタル情報など、プログラミングおよび／またはデータを記憶するための１つまたは複数のデバイスを表し得る。記憶媒体６０６はまた、プログラミングを実行するときに処理回路６０２によって操作されるデータを記憶するために使用され得る。記憶媒体６０６は、汎用または専用プロセッサによってアクセスされ得る任意の利用可能な媒体であり得る。限定ではなく例として、記憶媒体６０６は、磁気記憶デバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスクなどの非一時的コンピュータ可読媒体、および／または情報を記憶するための他の非一時的コンピュータ可読媒体、ならびにそれらのどの組合せも含み得る。記憶媒体６０６は、処理回路６０２が記憶媒体６０６から情報を読み取り、記憶媒体６０６に情報を書き込むことができるように処理回路６０２に結合され、または処理回路６０２によって少なくともアクセス可能であり得る。たとえば、記憶媒体６０６は、処理システム６００内に常駐するか、処理システム６００の外部にあるか、または処理システム６００を含む複数のエンティティにわたって分散され得る。いくつかの例では、記憶媒体６０６は処理回路６０２に一体化され得る。
【００４８】
記憶媒体６０６によって記憶されたプログラミングは、処理回路６０２によって実行されると、処理回路６０２に、本明細書に記載する様々な機能および／またはプロセスステップのうち１つまたは複数を実施させる。記憶媒体６０６は、サイマルキャストグループ配信動作（すなわち、命令）６１４を含み得る。サイマルキャストグループ配信動作６１４は、処理回路６０２によって実行することができる。したがって、本開示の１つまたは複数の態様によると、処理回路６０２は、本明細書に記載するネットワークエンティティ（たとえば、基地局１０４、７０２、１１０２、基地局コントローラ１０６、７０８、１１０６、ＲＦ接続マトリックス７０４、基地局サイマルキャストコントローラモジュール１１１４、１４０２など）のうちいずれかまたはすべてのためのプロセス、機能、ステップおよび／またはルーチンのうちいずれかまたはすべてを実施するようになされ得る。本明細書で使用する、処理回路６０２に関する「なされる」という用語は、処理回路６０２が、本明細書に記載する様々な特徴に従って、特定のプロセス、機能、ステップおよび／またはルーチンを実施するように構成、採用、実行、またはプログラムされることのうちの１つまたは複数を指すことがある。
【００４９】
少なくとも１つの例において、処理システム６００は、「ヘッドエンド」とも呼ばれ得るＲＦ接続マトリックスとして、および／またはそのようなＲＦ接続マトリックスと結合された基地局として実行することができる。そのような処理システム６００は、図２〜図５を参照して上述したものなど、本明細書に記載する特徴のうち１つまたは複数によるサイマルキャストを円滑にするようになされ得る。図７は、分散アンテナシステム（ＤＡＳ）についての、本明細書に記載する特徴のうちの１つまたは複数を実行するための、ＲＦ接続マトリックス７０４とともに動作するように適合された基地局７０２の選択構成要素を示す簡略化したブロック図である。
【００５０】
図示するように、基地局（ＢＳ）７０２は、多元接続ワイヤレス通信を可能にするのに使用される。基地局７０２は、基地局コントローラ（ＢＳＣ）７０８とのバックホール通信のためのバックホールインターフェース７０６を含む。さらに、基地局７０２は、複数の基地局セクタコントローラ７１２Ａ、７１２Ｂ、および７１２Ｃを含む基地局モデムブロック７１０と、対応する複数の基地局アンテナポート７１４Ａ、７１４Ｂ、および７１４Ｃとを含む。基地局モデムブロック７１０内で、それぞれの基地局セクタコントローラ７１２Ａ、７１２Ｂ、および７１２Ｃは各々、ワイヤレス通信システム内の１つのセクタまたはセル向けのダウンリンクを送信し、アップリンクを受信するための回路構成を含む。一例では、基地局セクタコントローラ７１２Ａ、７１２Ｂ、および７１２Ｃはすべて、同じチャネルカード上にあり得る。別の例では、異なるチャネルカード上にあってよい。基地局アンテナポート７１４Ａ、７１４Ｂ、および７１４Ｃは各々、ＲＦ接続マトリックス７０４に結合される。
【００５１】
この例では、ＲＦ接続マトリックス７０４は、ダウンリンク送信のために発信信号が基地局７０２から複数の遠隔アンテナユニット７１６にどのようにルーティングされるか判断する。一般に、基地局アンテナポート７１４とＲＦ接続マトリックス７０４との間の結合は、それぞれのＲＦ電気通信インターフェースによって行われる。ＲＦ接続マトリックス７０４は、複数の遠隔アンテナユニット７１６（たとえば、７１６Ａ、７１６Ｂ、７１６Ｃ、７１６Ｄ、および７１６Ｅ）に結合される。少なくともいくつかの実施形態において、ＲＦ接続マトリックス７０４と遠隔アンテナユニット７１６との間の結合は、それぞれの移送媒体インターフェース７１８Ａ、７１８Ｂ、７１８Ｃ、７１８Ｄ、および７１８Ｅを含む。基地局アンテナポート７１４Ａ、７１４Ｂ、７１４Ｃの各々は、それぞれの基地局セクタを１つの遠隔アンテナユニット７１６と、または複数の遠隔アンテナユニット７１６と結合するのを円滑にするために、１つまたは複数のアンテナポートを含み得る。
【００５２】
図７に示す分散アンテナシステム（ＤＡＳ）は、上述した原則に従って、構成を含む複数の構成のうちいずれかをサイマルキャストおよびデサイマルキャストするために使用することができる。たとえば、遠隔アンテナユニット７１６Ａおよび７１６Ｂがサイマルキャストされてよく、遠隔アンテナユニット７１６Ｃおよび７１６Ｄがサイマルキャストされてよく、遠隔アンテナユニット７１６Ｅがデサイマルキャストされてよい。さらに、図示するグループ化は１つのキャリア用に実行することができ、他のキャリアは、異なるグループ化構成を利用することができる。
【００５３】
ＲＦ接続マトリックス７０４は、図８および図９に示す構成のうちの１つなど、様々な構成を利用することができる。最初に図８を参照すると、ＲＦ接続マトリックスの少なくとも１つの例に関する選択詳細を例示するブロック図が示されている。図８に示す例は、複数の遠隔アンテナユニット７１６がサイマルキャストダウンリンク送信に利用される様々なサイマルキャスト構成に利用することができる。限定ではなく例として、ＲＦ接続マトリックス７０４Ａは、図４を参照して本明細書に記載した特徴のうち１つまたは複数を実行するために利用することができる。
【００５４】
図８には、３つの基地局セクタコントローラ７１２Ａ、７１２Ｂ、および７１２Ｃが示されている。ここで、基地局セクタコントローラ７１２Ａ、７１２Ｂ、および７１２Ｃは、バックホール接続７０６により、基地局コントローラ７０８に結合される。さらに、基地局コントローラ７０８は、インターネット８０２などのネットワークに結合される。基地局アンテナポート７１４は図８に示されていないが、基地局セクタコントローラ７１２Ａ、７１２Ｂ、および７１２ＣとＲＦ接続マトリックス７０４Ａとの間のインターフェースが、そのようなアンテナポートを含むと想定される。
【００５５】
ＲＦ接続マトリックス７０４Ａは、発信信号をダウンリンク送信のために基地局セクタ７１２Ａ、７１２Ｂ、７１２Ｃから遠隔アンテナユニット７１６にルーティングするようにプロビジョニングされる。ここで、ＲＦ接続マトリックス７０４Ａは、基地局セクタ７１２によって出力された電気ＲＦ信号が、電気ＲＦ信号を、光学部分では光信号として遠隔アンテナユニット７１６に送信するために光ファイバ８０６と結合するための光電気インターフェース（Ｏ／Ｅ）を有する中央ハブ８０４に提供される電気部分を含む。光信号は次いで、アンテナと直接インターフェースをとるための電気光インターフェース（Ｅ／Ｏ）８０８において変換されて電気信号に戻る。ここで、Ｅ／Ｏおよび様々なアクティブ要素が、遠隔アンテナユニット７１６に示されている。ただし、様々な例において、これらの構成要素のすべてまたは何らかの部分は、遠隔アンテナユニット７１６の外に置かれる場合がある。
【００５６】
図示する例において、ＲＦ接続マトリックス７０４Ａは、第１の基地局セクタ７１２Ａからのダウンリンク信号を第１の２つの遠隔アンテナユニット７１６Ａおよび７１６Ｂからサイマルキャストするようにプロビジョニングされる。一例として、サイマルキャストは、８１０で示すように、ＲＦ接続マトリックス７０４Ａの電気部分におけるＲＦ合成により遂行することができる。つまり、第１の基地局セクタ７１２Ａから送られたダウンリンク送信を表す電気信号は、分解(split)され、中央ハブ８０４における２つのＯ／Ｅインターフェースに供給され、そうすることによって対応する光信号が、第１および第２のファイバ８０６Ａおよび８０６Ｂを介して第１および第２の遠隔アンテナユニット７１６Ａおよび７１６Ｂに送信されて、サイマルキャストされる。
【００５７】
さらに、ＲＦ接続マトリックス７０４Ａは、第２の基地局セクタ７１２Ｂからのダウンリンク信号を第３および第４の遠隔アンテナユニット７１６Ｃおよび７１６Ｄからサイマルキャストするようにプロビジョニングされる。別の例として、サイマルキャストは、８０６Ｃで示すように、ＲＦ接続マトリックス７０４Ａの光部分におけるファイバ合成により遂行することができる。つまり、第２の基地局セクタ７１２Ｂから送られたダウンリンク送信を表す電気信号は、中央ハブ８０４におけるＯ／Ｅインターフェースに供給され、その後、対応する光信号は、１〜２つのファイバ８０６Ｃから分解され、そうすることによって、対応する光信号が、第３および第４の遠隔アンテナユニット７１６Ｃおよび７１６Ｄに送られて、サイマルキャストされる。
【００５８】
さらに、ＲＦ接続マトリックス７０４Ａは、第３の基地局セクタ７１２Ｃからのダウンリンク信号を第５の遠隔アンテナユニット７１６Ｅからデサイマルキャストするようにプロビジョニングされる。つまり、第３の基地局セクタ７１２Ｃから送られたダウンリンク送信を表す電気信号は、中央ハブ８０４におけるＯ／Ｅインターフェースに供給され、その後、対応する光信号は、第５の遠隔アンテナユニット７１６Ｅに送られて、送信される。
【００５９】
図９に移ると、ＲＦ接続マトリックスの少なくとも１つの他の例に関する選択詳細を例示するブロック図が示されている。図９に示す例は、複数の遠隔アンテナユニット７１６がサイマルキャストダウンリンク送信に、ならびに２つ以上の異なるキャリアの間での異なるサイマルキャスト構成の実行に利用される様々なサイマルキャスト構成に利用することができる。限定ではなく例として、図９に示すＲＦ接続マトリックス７０４Ｂは、図２および図４を参照して上述した特徴のうち１つまたは複数を実行するために利用することができる。
【００６０】
図９には、３つの基地局セクタコントローラ７１２Ａ、７１２Ｂ、および７１２Ｃが、バックホール接続７０６により基地局コントローラ７０８に結合された基地局セクタコントローラ７１２Ａ、７１２Ｂ、および７１２Ｃで再度示されている。さらに、基地局コントローラ７０８は、インターネット９０２などのネットワークに結合される。図７にある基地局アンテナポート７１４は図９に示されていないが、基地局セクタコントローラ７１２Ａ、７１２Ｂ、および７１２ＣとＲＦ接続マトリックス７０４Ｂ（たとえば、キャリア分離フィルタ９０４）との間のインターフェースが、図７のそのような基地局アンテナポート７１４を含むと想定される。
【００６１】
ＲＦ接続マトリックス７０４Ｂは、発信信号をダウンリンク送信のために基地局セクタコントローラ７１２Ａ、７１２Ｂ、７１２Ｃから遠隔アンテナユニット７１６にルーティングするようにプロビジョニング(provisioned)される。図９の例において、ＲＦ接続マトリックス７０４Ｂは、複数のキャリア固有ＲＦ接続マトリックスモジュール９０６を含む。それぞれのキャリア固有ＲＦ接続マトリックスモジュール９０６の各々は、キャリア固有ダウンリンク送信を、それぞれのキャリア上での送信のために１つまたは複数の遠隔アンテナユニット７１６にルーティングすることができる。
【００６２】
ＲＦ接続マトリックス７０４Ｂは、各基地局セクタコントローラ７１２用のアンテナポートと結合されたキャリア分離フィルタ９０４を含み得る。たとえば、それぞれのキャリア分離フィルタ９０４Ａ、９０４Ｂ、および９０４Ｃは、基地局セクタコントローラ７１２Ａ、７１２Ｂ、および７１２Ｃと結合される。キャリア分離フィルタの各々は、複数のキャリア固有ＲＦ接続マトリックスモジュール９０６とさらに結合される。キャリア分離フィルタ９０４は、セクタ識別（ＩＤ）に関連付けられた１つまたは複数の信号を受信するようになされ、１つまたは複数の信号は、複数のキャリア用のダウンリンク送信を含む。たとえば、キャリア分離フィルタ９０４は、１つまたは複数の基地局セクタコントローラ７１２から１つまたは複数の信号を受信することができる。キャリア分離フィルタ９０４は次いで、各キャリア用のダウンリンク送信を分離し、これらのダウンリンク送信を、それぞれのキャリア固有ＲＦ接続マトリックスモジュール９０６に与える(provide)。
【００６３】
いくつかの例において、キャリア固有ＲＦ接続マトリックスモジュール(carrier-specific RF connection matrix modules)９０６は、キャリア固有ダウンリンク送信を、それぞれの遠隔アンテナユニット７１６に関連付けられたキャリア合成フィルタ９０８に与えてよい。たとえば、キャリア合成フィルタ９０８Ａ、９０８Ｂ、および９０８Ｃはそれぞれ、遠隔アンテナユニット７１６Ａ、７１６Ｂ、および７１６Ｃに関連付けられる。キャリア合成フィルタ９０８は、キャリア固有ＲＦ接続マトリックスモジュール９０６の各々から、関連付けられた遠隔アンテナユニット７１６に向けられたダウンリンク送信を受信することができ、それぞれの遠隔アンテナユニット７１６への送信用の様々な信号を合成することができる。
【００６４】
等しい数の基地局セクタコントローラ７１２および遠隔アンテナユニット７１６があるが、遠隔アンテナユニット７１６の数は、基地局セクタコントローラ７１２の数とは異なってよく、基地局セクタコントローラ７１２および遠隔アンテナユニット７１６の具体的な数は、様々な実施形態に従って変わってよいことが当業者には明らかであろう。
【００６５】
限定ではなく例として、基地局セクタコントローラ７１２Ａは、第１のキャリア（たとえば、キャリア１）用および第２のキャリア（たとえば、キャリア２）用のダウンリンク送信を含む信号を、キャリア分離フィルタ９０４Ａに伝えることができる。これらのダウンリンク送信は、基地局セクタコントローラ７１２Ａの共通セクタ識別（ＩＤ）に関連付けられる。キャリア分離フィルタ９０４Ａは、第１のキャリア用のダウンリンク送信をキャリア１用のキャリア固有ＲＦ接続マトリックスモジュール９０６に、および第２のキャリア用のダウンリンク送信をキャリア２用のキャリア固有ＲＦ接続マトリックスモジュール９０６に伝えるための信号をフィルタリングする。
【００６６】
概して、かつ単に例として、キャリア分離フィルタ９０４Ａは、第１のキャリア用のダウンリンク送信と、第２のキャリア用のダウンリンク送信とを含む信号を、基地局セクタコントローラ７１２Ａから受信することができる。キャリア分離フィルタ９０４Ａは、キャリア１用のキャリア固有ＲＦ接続マトリックスモジュール９０６に通信されたダウンリンク送信を、第１のキャリア用のダウンリンク送信のみを含むようにフィルタリングすることができる。同様に、キャリア分離フィルタ９０４Ａは、キャリア２用のキャリア固有ＲＦ接続マトリックスモジュール９０６に通信されたダウンリンク送信を、第２のキャリア用のダウンリンク送信のみを含むようにフィルタリングすることができる。同様の動作は、他の基地局セクタコントローラ７１２Ｂおよび７１２Ｃにおいて、ならびにキャリア分離フィルタ９０４Ｂおよび９０４Ｃにおいて起こる。
【００６７】
キャリア１用のキャリア固有ＲＦ接続マトリックスモジュール９０６は、受信したダウンリンク送信を、第１のキャリア上での送信用に、１つまたは複数の遠隔アンテナユニット７１６にルーティングすることができる。同様に、キャリア２用のキャリア固有ＲＦ接続マトリックスモジュール９０６は、受信したダウンリンク送信を、第２のキャリア上での送信用に、１つまたは複数の遠隔アンテナユニット７１６にルーティングすることができる。サイマルキャストは、図８のＲＦ接続マトリックス７０４Ａの電気部分を参照して上述したＲＦ合成と同様にして、キャリア固有ＲＦ接続マトリックスモジュール９０６におけるＲＦ合成により遂行することができる。
【００６８】
意図された遠隔アンテナユニット７１６を対象とするそれぞれのキャリア固有ＲＦ接続マトリックスモジュール９０６におけるダウンリンク送信を用いて、複数のキャリア固有ＲＦ接続マトリックスモジュール９０６からのダウンリンク送信信号は、各それぞれの遠隔アンテナユニット７１６に関連付けられたキャリア合成フィルタ９０８においてダウンリンク送信用に合成され得る。合成信号はＯ／Ｅインターフェースに供給することができ、そうすることによって、対応する光信号が、デサイマルキャストおよび／またはサイマルキャスト送信のために、それぞれの光ケーブル９１０を介してアンテナユニット７１６に送信される。
【００６９】
図９に示すように、ＲＦ接続マトリックス７０４Ｂは、マルチキャリア基地局信号をキャリア分離フィルタ９０４内で別個のキャリアごとの信号に分解し、各キャリア用のキャリア固有ＲＦ接続マトリックスモジュール９０６を利用することによって、キャリアごとに異なるサイマルキャストグループ化を円滑にすることができる。さらに、キャリアごとに異なるサイマルキャストグループ化を円滑にするのに加え、ＲＦ接続マトリックス７０４Ｂは、アップリンク上でダイバーシティアンテナを使いながら、ダウンリンク上でのサイマルキャストも円滑にすることができる。容量の観点から、アップリンク上で利用可能ダイバーシティを活用することが有益な場合があり、提示するＲＦ接続マトリックス７０４Ｂは、一般にアップリンク上でサイマルキャストする従来のＲＦ接続マトリックス構成と比較して、アップリンク容量を増大することができる。ダウンリンクとアップリンク多重化の分離は、図９に明示的には示さないが、図面から、当業者には容易に理解されよう。
【００７０】
図１０に移ると、ＲＦ接続マトリックス７０４ＢなどのＲＦ接続マトリックス上で動作可能な方法の少なくとも１つの例を示す流れ図が示されている。特に、以下の例では、２つの異なるセクタＩＤのみおよび２つの異なるキャリアのみに言及するが、セクタＩＤおよび／またはキャリアの具体的な数は、複数の異なる例のうちいずれかにおいても変わり得ることを理解されたい。図９および図１０を参照すると、ステップ１００２で信号が受信されてよく、信号は、セクタＩＤに関連付けられ、複数のキャリア用のダウンリンク送信を含む。たとえば、ＲＦ接続マトリックス７０４Ｂは、基地局セクタコントローラ７１２から１つまたは複数の信号を受信することができ、受信信号はセクタＩＤに関連付けられる。たとえば、ＲＦ接続マトリックス７０４Ｂは、第１のセクタＩＤに関連付けられた基地局セクタコントローラ７１２Ａからの信号と、第２のセクタＩＤに関連付けられた基地局セクタコントローラ７１２Ｂからの信号とを受信することができる。受信信号（１つまたは複数）（たとえば、各基地局セクタコントローラ７１２からの）は、第１のキャリア上での送信用の１つまたは複数のダウンリンク送信と、第２のキャリア上での送信用の１つまたは複数のダウンリンク送信とを含み得る。各基地局セクタコントローラ７１２からの信号（１つまたは複数）は、それぞれのキャリア分離フィルタ９０４において受信され得る。
【００７１】
ステップ１００４で、第１のキャリア用のダウンリンク送信が、第１のキャリア固有ＲＦ接続マトリックスモジュール９０６に伝えられ得る。たとえば、キャリア分離フィルタ９０４は、第１のキャリア以外のどのキャリア用のダウンリンク送信もフィルタ除去することができ、第１のキャリア用の得られたダウンリンク送信を、第１のキャリア用のキャリア固有ＲＦ接続マトリックスモジュール９０６に伝えることができる。第１のキャリア用のキャリア固有ＲＦ接続マトリックスモジュール９０６はしたがって、第１のキャリアに関連付けられた１つまたは複数のセクタＩＤ用のダウンリンク送信を受信することができる。
【００７２】
同様に、ステップ１００６で、第２のキャリア用のダウンリンク送信が、第２のキャリア固有ＲＦ接続マトリックスモジュール９０６に伝えられ得る。たとえば、キャリア分離フィルタ９０４は、第２のキャリア以外のどのキャリア用のダウンリンク送信もフィルタ除去することができ、第２のキャリア用の得られたダウンリンク送信を、第２のキャリア用のキャリア固有ＲＦ接続マトリックスモジュール９０６に伝えることができる。第２のキャリア用のキャリア固有ＲＦ接続マトリックスモジュール９０６はしたがって、第２のキャリアに関連付けられた１つまたは複数のセクタＩＤ用のダウンリンク送信を受信することができる。
【００７３】
ステップ１００８で、第１のキャリア固有ＲＦ接続マトリックスモジュール９０６は、第１のキャリア用のダウンリンク送信を、第１のキャリア上での送信用に、１つまたは複数の遠隔アンテナユニットにルーティングすることができる。たとえば、第１のキャリア用のキャリア固有ＲＦ接続マトリックスモジュール９０６は、第１のキャリア用の各セクタＩＤに関連付けられたダウンリンク送信を、１つまたは複数の遠隔アンテナユニット７１６にルーティングすることができる。２つ以上の遠隔アンテナユニット７１６によってサイマルキャストを円滑にするためのルーティングは、図８のＲＦ接続マトリックス７０４Ａに関する、上述したＲＦ接続マトリックスの電気部分におけるＲＦ合成と同様にして、ＲＦ合成により遂行することができる。
【００７４】
同様に、ステップ１０１０で、第２のキャリア固有ＲＦ接続マトリックスモジュール９０６は、第２のキャリア用のダウンリンク送信を、第２のキャリア上での送信用に、１つまたは複数の遠隔アンテナユニットにルーティングすることができる。たとえば、第２のキャリア用のキャリア固有ＲＦ接続マトリックスモジュール９０６は、第２のキャリア用のダウンリンク送信を、１つまたは複数の遠隔アンテナユニット７１６にルーティングすることができる。２つ以上の遠隔アンテナユニット７１６によってサイマルキャストを円滑にするためのルーティングは、図８のＲＦ接続マトリックス７０４Ａに関する、上述したＲＦ接続マトリックスの電気部分におけるＲＦ合成と同様にして、ＲＦ合成により遂行することができる。
【００７５】
少なくともいくつかの例において、第１および第２のキャリア固有ＲＦ接続マトリックスモジュール９０６の両方が、同じ遠隔アンテナユニット７１６のうちの１つまたは複数にダウンリンク送信をルーティングすることができる。そのような例において、２つのキャリア固有ＲＦ接続マトリックスモジュール９０６から受信された信号は、それぞれの遠隔アンテナユニット７１６による送信に先立って、キャリア合成フィルタ９０８によって１つの信号に合成することができる。
【００７６】
上記の例によると、ＲＦ接続マトリックス７０４Ｂは、本明細書において図２〜図５を参照して上述した特徴のうち１つまたは複数を実行することができる。たとえば、第１のキャリア用のキャリア固有ＲＦ接続マトリックスモジュール９０６は、特定のセクタＩＤを利用する２つ以上の遠隔アンテナユニット７１６からなる第１のグループを介して、第１のキャリア上でダウンリンク送信をサイマルキャストすることができる。さらに、第２のキャリア用のキャリア固有ＲＦ接続マトリックスモジュール９０６は、セクタＩＤを利用する２つ以上の遠隔アンテナユニットからなる第２のグループを介して、第２のキャリア上でダウンリンク送信をサイマルキャストすることができ、第２のグループの少なくとも１つの遠隔アンテナユニットは、第１のグループの遠隔アンテナユニットとは異なる。別の例では、キャリア固有ＲＦ接続マトリックスモジュール９０６は、複数の遠隔アンテナユニット７１６を介してダウンリンク送信をサイマルキャストすることができ、遠隔アンテナユニット７１６のうち少なくとも１つは、少なくとも１つの遠隔アンテナユニットに関連付けられたカバレージエリアが、複数の遠隔アンテナユニットのその他の遠隔アンテナユニットのいずれかに関連付けられたカバレージエリアに隣接しないように位置付けられる。
【００７７】
再び図７を参照すると、ＲＦ接続マトリックス７０４（たとえば、図８のＲＦ接続マトリックス７０４Ａおよび／または図９のＲＦ接続マトリックス７０４Ｂ）を、図２および図４を参照して本明細書に記載した特徴のうち１つまたは複数を実施するようになさせるために、特定のサイマルキャスト構成のプロビジョニングは高度に複雑であり、特定のキャリア用のダウンリンク信号を１つまたは複数の適切な遠隔アンテナユニット７１６に与えるための適切な電気および／または光接続を伴う場合がある。２つ以上のサイマルキャスト構成が所望され得る展開では、ＲＦ接続マトリックス７０４（たとえば、７０４Ａ、７０４Ｂ）が、すべての可能なサイマルキャストおよびデサイマルキャストシナリオを扱うようにプロビジョニングされなければならない。さらに、サイマルキャストおよびデサイマルキャスト構成を動的に変更することが所望される展開では、ＲＦ接続マトリックス７０４（たとえば、７０４Ａ、７０４Ｂ）は、ＲＦ接続マトリックス７０４（たとえば、７０４Ａ、７０４Ｂ）がネットワークトラフィックダイナミクスに従って動的に調整であるために、すべての可能なサイマルキャストおよびデサイマルキャストシナリオを有してプロビジョニングされる必要がある。
【００７８】
いくつかの事例において、ＲＦ接続マトリックス７０４（たとえば、７０４Ａ、７０４Ｂ）のためのプログラミングは、基地局コントローラ７０８におけるプログラミングとインターフェースをとることができ、そうすることによって、様々なサイマルキャストおよびデサイマルキャスト構成の間を必要に応じて動的に切り替えて、トラフィックダイナミクスに対応することができる。そのようなインターフェースが、インターフェース７２０として図７に示されている。いくつかの事例において、ＲＦ接続マトリックス７０４（たとえば、７０４Ａ、７０４Ｂ）と基地局コントローラ７０８との間のそのようなインターフェース７２０は、オペレータによって手作業で扱うことができる。
【００７９】
いくつかの事例において、遠隔アンテナユニット７１６は、ＲＦ接続マトリックス７０４から可変距離に置かれ得る。いくつかの遠隔アンテナユニット７１６は、ＲＦ接続マトリックス７０４の比較的近くに置かれてよく、他のアンテナユニットは、マトリックス７０４から比較的離れている。したがって、複数の遠隔アンテナユニット７１６がサイマルキャストのために使用されるシステムにおいて、ダウンリンク信号が長距離遠隔アンテナユニット７１６に届くための伝播遅延は、同じダウンリンク信号が、比較的極近接した遠隔アンテナユニット７１６に届くための伝播遅延よりも大幅に長くなり得る。サイマルキャスト中、同じ信号が各遠隔アンテナユニット７１６によって同じまたは実質的に同じ時間に送信されることが意図される。ただし、各遠隔アンテナユニット７１６までの光ファイバケーブル（たとえば、図８の光ケーブル８０６、図９の光ケーブル９１０）の長さの差が大きい場合、送信を同期させるのが困難な場合があり、サイマルキャストアンテナの間での遅延拡散が、サイマルキャスト遠隔アンテナユニット７１６によって担当されるアクセス端末の設計仕様を超える場合がある。したがって、少なくともいくつかの例では、サイマルキャストされる信号についての均等なパス長を生じる、ファイバの余長など、適切な余剰パス長が、より短いパスの所に追加されてよい。
【００８０】
本開示の別の特徴によると、基地局サイマルキャストコントローラモジュールは、図２〜図５を参照して上述したものなど、本明細書に記載する特徴のうち１つまたは複数に従ってサイマルキャストダウンリンク送信を円滑にするために、処理システム６００の一部として実行することができる。そのような基地局サイマルキャストコントローラモジュールは、基地局がＲＦ接続マトリックスを利用せずにダウンリンク送信をサイマルキャストするのを可能にすることができる。基地局サイマルキャストコントローラモジュールは、たとえばいくつかの例では基地局に統合されることによって、処理システム６００の一部として統合することができる。他の例では、基地局サイマルキャストコントローラモジュールは、複数の基地局と通信するように適合されたそれ自体の処理システム６００として実行することができる。
【００８１】
図１１は、少なくとも１つの例による、統合された基地局サイマルキャストコントローラモジュール(integrated base station simulcast controller module)を含む基地局の選択構成要素を示すブロック図である。つまり、図１１は、処理システムの一部として統合された基地局サイマルキャストコントローラモジュールを含む基地局として、処理システムが構成される例を示す。図示する例は、複数の基地局セクタが１つの形状因子ラックユニット(form factor rack uni)またはチャネルカード(channel card)で実行され得るマクロセル展開(macro-cell deployment)を示す。さらに、図示する例はシングルキャリアアーキテクチャを示し、ここで基地局セクタの各々が、互いに同じ搬送周波数内での通信を提供する。ただし、本明細書において上述したように、モデムブロックは、複数のキャリアを提供するようにプロビジョニングされてよく、異なるキャリア向けの異なるサイマルキャストグループ構成を実行するようにプロビジョニングされてよいことが、当業者には理解されよう。
【００８２】
図示するシステムにおいて、基地局１１０２は、単独で、あるいはワイヤレス通信システム内の基地局１１０２と同じ、または基地局１１０２とは異なる、１つまたは複数の追加の異なる基地局とともに使用して、多元接続ワイヤレス通信を可能にすることができる。
【００８３】
基地局１１０２は、基地局コントローラ１１０６など、１つまたは複数のネットワークノードとのバックホール通信を可能にするバックホールインターフェース１１０４を含み得る。基地局コントローラ１１０６は、一般呼処理機能を管理することができるのだが、同様または異なるバックホール接続を介して１つまたは複数の追加基地局（図示せず）に通信可能にさらに結合することができ、インターネット１１０８など、ワイヤレス通信システムにおける使用に適した他のネットワークノードに通信可能にさらに結合することができる。
【００８４】
さらに、基地局１１０２は、複数の基地局セクタコントローラ１１１２Ａ、１１１２Ｂ、および１１１２Ｃと、基地局サイマルキャストコントローラモジュール１１１４とを含む基地局モデムブロック１１１０を含み得る。そのような基地局サイマルキャストコントローラモジュール１１１４は、送信ルーティングおよび遅延補正エンティティとしても特徴付けられ得る。少なくとも１つの例によると、基地局サイマルキャストコントローラモジュール１１１４は、少なくとも部分的には処理回路によって実行することができる。たとえば、図６の処理回路６０２は、単独で、または記憶媒体６０６中のサイマルキャストグループ配信動作６１４とともに、基地局サイマルキャストコントローラモジュール１１１４を実行するのに利用され得る。
【００８５】
基地局セクタコントローラ１１１２Ａ、１１１２Ｂ、および１１１２Ｃは各々、ワイヤレス通信システム内の１つのセクタ用にダウンリンクを送信し、アップリンクを受信するための十分な回路構成を含み、さらに各々が、ユーザスケジュールのため、パケット送信フォーマットを判断するため、および波形畳込みのための回路構成を含んでよい。ここで、図示する基地局モデムブロック１１１０は、３つの基地局セクタコントローラ１１１２を含むが、本開示の様々な態様では、基地局モデムブロックは、どの適切な数の基地局セクタコントローラ１１１２を含んでもよい。
【００８６】
さらに、基地局１１０２は、それぞれの遠隔アンテナユニット１１１８Ａ、１１１８Ｂ、および１１１８Ｃとインターフェースをとるための複数の基地局アンテナポート１１１６Ａ、１１１６Ｂ、および１１１６Ｃを含む。繰返しになるが、図示する基地局１１０２は３つの基地局アンテナポートを含むが、本開示の様々な態様において、基地局１１０２は、どの適切な数の基地局アンテナポートを含んでもよく、その数は、基地局１１０２内の基地局セクタコントローラの数に必ずしも厳密に対応してもしなくてもよい。
【００８７】
本開示の様々な態様によると、基地局１１０２に含まれる基地局サイマルキャストコントローラモジュール１１１４は、ＲＦ接続マトリックスを必要とせずに、複数の遠隔アンテナユニット１１１８Ａ、１１１８Ｂ、および１１１８Ｃを使用したサイマルキャストおよびデサイマルキャストを可能にする。つまり、基地局セクタコントローラ１１１２Ａ、１１１２Ｂ、および１１１２Ｃは各々、送信インターフェースと受信インターフェースとを含む。各基地局セクタコントローラ１１１２の送信インターフェースは、基地局サイマルキャストコントローラモジュール１１１４に通信可能に結合され、モジュール１１１４は、それぞれの送信信号を、特定のサイマルキャスト構成向けに後で説明するように処理し、したがって、処理された送信信号を１つまたは複数のそれぞれの基地局アンテナポート１１１６Ａ、１１１６Ｂ、および１１１６Ｃに与える。図示する例において、遠隔アンテナユニット１１１８Ａおよび１１１８Ｂは、特定のキャリア上での基地局セクタ１用のサイマルキャストダウンリンク送信のためのサイマルキャストグループとして利用され、遠隔アンテナユニット１１１８Ｃは、同じキャリア上での基地局セクタ２用のデサイマルキャスト送信に利用される。他のキャリア用のグループ構成は、明快のために省かれているが、特定のキャリア用に示されるグループ構成とは異なり得る。
【００８８】
一方、各基地局セクタコントローラ１１１２の受信インターフェースは、受信信号を基地局サイマルキャストコントローラモジュール１１１４に通すことなく、それぞれの基地局アンテナポート１１１６に通信可能に結合され得る。このように、本開示の態様は、アップリンク容量が向上され得るように、基地局モデムブロック１１１２が、ダウンリンク送信からアップリンク送信を結合解除することを可能にする。つまり、本開示のある態様によると、遠隔アンテナユニット１１１８のうち複数が、ダウンリンク（順方向リンク）送信のサイマルキャストのために構成されるときでさえも、アップリンク（逆方向リンク）送信の受信は別個に扱われ、そうすることによって、アップリンク送信は、ダウンリンク送信がサイマルキャストされるか、それともデサイマルキャストされるかに依存せずに、サイマルキャストされ、またはデサイマルキャストされ得る。このように、ダウンリンクのサイマルキャストは、サイマルキャストされたダウンリンクによって担当されるアクセス端末についての信号対干渉雑音比（ＳＩＮＲ）を向上させることができ、アップリンクは、アップリンクダイバーシティでさらに改善され得る。
【００８９】
図１２は、本開示のある態様による、ＤＡＳについて図１１に示したのと実質的に同じアーキテクチャを示すブロック図詳細である。図１１のオブジェクトと同じ番号をもつ、図１２のオブジェクトは、すでに記載したものと同じなので、この図を参照して詳細には説明しない。図面において、図７〜図９を参照して上述したＲＦ接続マトリックス７０４に置き換わるこのアーキテクチャを用いると、基地局１１０２から遠隔アンテナユニット１１１８への接続が簡略化され得ることがわかる。つまり、１つまたは複数の基地局１１０２の基地局アンテナポート１１１６は、基地局コントローラ１１０６によって制御することができ、コントローラ１１０６は、バックホールインターフェース１１０４を介してそれぞれの基地局１１０２と通信する。それぞれの基地局モデムブロック１１１２をもつ基地局１１０２は図示されていないが、バックホールインターフェース１１０４によって示されるバスは、図１１に示す基地局１１０２など、任意の数の基地局１１０２が、基地局コントローラと通信していることを含意するとされてよく、各それぞれの基地局１１０２は、基地局サイマルキャストコントローラモジュール１１１４と、１つまたは複数の基地局セクタコントローラ１１１２と、１つまたは複数の基地局アンテナポート１１１６とを含む。
【００９０】
図１２に見られるように、対応するＯ／Ｅインターフェースを含む、それぞれの基地局アンテナポート１１１６と中央ハブ１２０２との間のインターフェースは、図８および図９に示すＲＦ接続マトリックス７０４を使用する例と比較して簡略化されている。たとえば、図８に示したように、サイマルキャストは、ＲＦ合成８１０により遂行することができた。ただし、サイマルキャストは、基地局サイマルキャストコントローラモジュール１１１４の上述の特徴によって遂行することができるので、ＲＦ合成８１０は要求されない。つまり、各基地局アンテナポート１１１６と中央ハブ１２０２におけるＯ／Ｅインターフェースとの間のダウンリンクごとに、ただ１つのＲＦ接続が要求される。
【００９１】
さらに、中央ハブ１２０２におけるそれぞれのＯ／Ｅインターフェースと遠隔アンテナユニット１１１８との間のインターフェースは、ＲＦ接続マトリックス７０４を使用する例と比較して簡略化されている。たとえば、図８に示したように、ＲＦ接続マトリックス７０４Ａを用いたサイマルキャストは、ファイバ合成８０６Ｃにより遂行することができた。ただし、述べたように、サイマルキャストは、基地局サイマルキャストコントローラモジュール１１１４の上述の特徴によって遂行することができるので、ファイバ合成８０６Ｃは要求されない。つまり、Ｏ／Ｅインターフェースを含む中央ハブ１２０２と、Ｅ／Ｏインターフェースを含む遠隔アンテナユニット１１１８との間のダウンリンクごとに、ただ１つの光ファイバ１２０４が利用され得る。
【００９２】
本開示のさらなる態様では、中央ハブ１００２におけるＯ／Ｅインターフェースと、遠隔アンテナユニット１１１８におけるそれぞれのＥ／Ｏインターフェースとの間の各接続のために、光ファイバ１２０４は、ダウンリンクごとの１つのシングルモードファイバと、アップリンクごとの１つのシングルモードファイバとを含み得る。このように、アップリンク送信信号を遠隔アンテナユニット１１１８からハブ１２０２に送るための各リンクはデサイマルキャストされてよく、ダウンリンク送信信号をハブ１２０２から遠隔アンテナユニット１１１８に送るための各リンクは、基地局サイマルキャストコントローラモジュール１１１４によって制御されるように、サイマルキャストまたはデサイマルキャストされてよい。
【００９３】
本開示のさらに別の態様では、基地局サイマルキャストコントローラモジュール１１１４の機能によって、長距離遠隔アンテナユニットについての可変遅延に対処するための、上述したファイバの余長の使用が排除され得る。つまり、ここで、光ファイバ１２０４の長さは依然として大きく変わる場合があり、したがって、中央ハブ１２０２から送信される信号は、長さの差により、異質な伝播遅延を依然として呈し得る。ただし、基地局サイマルキャストコントローラモジュール１１１４は、遅延補正のためのバッファリングを実行することができ、そうすることによって、送信サイマルキャストに関与することになっている遠隔アンテナユニット１１１８が同期され得る。つまり、基地局サイマルキャストコントローラモジュール１１１４内で、ファイバ−アンテナ間遅延を補償することによって、サイマルキャスト性能を向上させるように、遅延が調整されてよい。ここで、遅延は、基地局サイマルキャストコントローラモジュール１１１４内のソフトウェアおよび／またはハードウェアによって、たとえば、デジタルバッファリング回路構成によって、可変伝播遅延を補償するように正常に制御され得る。さらに、デジタルバッファリングがたやすく調整され得るので、たとえば、遠隔アンテナユニット１１１８が置き直されるときの遅延量に対する補正または遅延量の変更を行うことができる。
【００９４】
ファイバの余長を使うのではなく、可変伝播遅延を補償するのに基地局サイマルキャストコントローラモジュール１１１４を利用することによって、信号対干渉雑音比（ＳＩＮＲ）をかなり向上させることができる。たとえば、１つのチップが約０．８マイクロ秒である１〜２つのチップ内で相対遅延が制御されると、信号対干渉雑音比は、サイマルキャストアンテナからの総受信電力と、ネットワークからの総受信電力の比で線形に増大することがわかっている。ただし、ファイバに遅延が残されている場合、最適サイマルキャスト信号対干渉雑音比からの大幅な損失があり得る。
【００９５】
上述したように基地局サイマルキャストコントローラモジュール１１１４を含むことによって、サイマルキャストグループの分散（すなわち、構成）は、特定の時間における所与のトラフィックシナリオ向けのワイヤレス送信を円滑にするように容易に修正され得る。さらに、基地局１１０２は、１つまたは複数のネットワークトラフィックパラメータに従って、必要に応じてダウンリンク送信のためのサイマルキャストおよびデサイマルキャスト配信の間で動的に選択することが可能であり得る。つまり、ときには、少なくとも１つのネットワークトラフィックパラメータ（たとえば、トラフィックシナリオ（traffic scenario）、ネットワーク干渉トポロジ（network interference topology））に基づいて、いくつかの場所のカバレージの向上が所望される場合があり、したがって、その場所は、そのエリア内のいくつかの遠隔アンテナユニットからのダウンリンクをサイマルキャストすることによって担当され得る。さらに、ときには、いくつかの場所における容量の向上が所望される場合があり、したがって、その場所は、そのエリア内の遠隔アンテナユニットからの複数のダウンリンクをデサイマルキャストすることによって、および／またはその場所向けの追加セクタを提供するようにサイマルキャスト構成を分散し直すことによって担当され得る。ここで、適切な遠隔アンテナユニット１１１８へのルーティングの変更は、電子的および基地局１１０２にとって内部的に行われるので、ＲＦ接続マトリックスを使用するときに要求されたように、すべての可能なサイマルキャスト構成を前もってプロビジョニングする必要はなくなる。つまり、基地局サイマルキャストコントローラモジュール１１１４は、利用可能遠隔アンテナユニット１１１８のサイマルキャストおよびデサイマルキャストの可能なすべての組合せが、単純なソフトウェアコマンドによって実行され得るという点で、サイマルキャスト構成の選択の粒度を向上させる。
【００９６】
本開示の少なくとも１つの特徴は、基地局において動作可能な方法を含む。図１３は、基地局において動作可能な方法の少なくとも１つの例を示す流れ図である。図１１とともに図１３を参照すると、基地局１１０２は、ステップ１３０２で、複数の遠隔アンテナユニット１１１８（たとえば、１１１８Ａ、１１１８Ｂ、１１１８Ｃ）を介してダウンリンク送信を送信することができ、遠隔アンテナユニット１１１８（たとえば、１１１８Ａおよび１１１８Ｂ）のうち少なくとも２つが、サイマルキャストグループとしてダウンリンク送信をサイマルキャストするために利用される。遠隔アンテナユニットは、アンテナポート１１１６（たとえば、１１１６Ａ、１１１６Ｂ、１１１６Ｃ）に通信可能に結合され得る。
【００９７】
少なくとも１つの例によると、基地局サイマルキャストコントローラモジュール１１１４は、それぞれの基地局アンテナポート１１１６に通信可能に結合された複数の遠隔アンテナユニット１１１８を介してダウンリンク送信を送信するようになされ得る。いくつかの例において、基地局サイマルキャストコントローラモジュール１１１４は、基地局アンテナポート１１１６のうちの任意の数に与えられるように、基地局セクタコントローラ１１１２からの送信信号の電子分解(electronic splitting)を可能にすることによって、ダウンリンクサイマルキャストを円滑にするようになされ得る。基地局サイマルキャストコントローラモジュール１１１４は、電子的に分解された送信信号を、送信信号をサイマルキャストするために利用される遠隔アンテナユニット１１１６の各々に与えればよい。
【００９８】
いくつかの例において、基地局サイマルキャストコントローラモジュール１１１４は、上の図２および図３を参照して本明細書に記載した特徴に従って、ダウンリンク送信をサイマルキャストするようになされ得る。たとえば、基地局サイマルキャストコントローラモジュール１１１４は、特定のセクタＩＤを利用する２つ以上の遠隔アンテナユニット１１１８からなる第１のグループを介して、第１のキャリア上でダウンリンク送信をサイマルキャストするとともに、同じセクタＩＤを利用する２つ以上の遠隔アンテナユニット１１１８からなる第２のグループを介して、第２のキャリア上でダウンリンク送信をサイマルキャストするようになされ得る。そのような例では、第２のグループの少なくとも１つの遠隔アンテナユニット１１１８は、第１のグループの遠隔アンテナユニット１１１８とは異なり得る。基地局サイマルキャストコントローラモジュール１１１４は、後でより詳しく説明するように、どの遠隔アンテナユニット１１１８が第１のグループおよび／または第２のグループに含まれるかをさらに修正することができる。
【００９９】
いくつかの例において、基地局サイマルキャストコントローラモジュール１１１４は、上の図４および図５を参照して本明細書に記載した特徴に従って、ダウンリンク送信をサイマルキャストするようになされ得る。たとえば、基地局サイマルキャストコントローラモジュール１１１４は、複数の遠隔アンテナユニット１１１８を介してダウンリンク送信をサイマルキャストするようになされてよく、少なくとも１つの遠隔アンテナユニット１１１８は、この少なくとも１つの遠隔アンテナユニット１１１８に関連付けられたカバレージエリアが、複数の遠隔アンテナユニットのその他の遠隔アンテナユニット１１１８のいずれかに関連付けられたカバレージエリアに隣接しないように位置付けられる。基地局サイマルキャストコントローラモジュール１１１４は、後でより詳しく説明するように、どの遠隔アンテナユニット１１１８がサイマルキャストグループに含まれるかをさらに修正することができる。
【０１００】
少なくともいくつかの例によると、基地局１１０２は、ダウンリンク送信がサイマルキャストされるときでさえも、デサイマルキャストされる複数の遠隔アンテナユニットを介してアップリンク送信を受信するようにさらになされ得る。たとえば、基地局セクタコントローラ１１１２Ａ、１１１２Ｂ、および１１１２Ｃは各々、送信インターフェースと受信インターフェースとを含み得る。送信インターフェースは、サイマルキャストされたダウンリンク送信を円滑にするための基地局サイマルキャストコントローラモジュール１１１４に通信可能に結合されてよく、受信インターフェースは、受信信号を基地局サイマルキャストコントローラモジュール１１１４に通さずに、それぞれの基地局アンテナポート１１１６に通信可能に結合されてよい。したがって、遠隔アンテナユニット１１１８のうち複数が、ダウンリンク（順方向リンク）送信のサイマルキャストのために構成されるときでさえも、複数の遠隔アンテナユニット１１１８からのアップリンク（逆方向リンク）送信の受信は別個に扱われ、そうすることによって、アップリンク送信は、ダウンリンク送信がサイマルキャストされるか、それともデサイマルキャストされるかに依存せずにデサイマルキャストされ得る。
【０１０１】
ステップ１３０２で、基地局１１０２は、１つまたは複数のネットワークトラフィックパラメータを取得し得る。たとえば、基地局サイマルキャストコントローラモジュール１１１４は、１つまたは複数のネットワークトラフィックパラメータを取得するように適合され得る。いくつかの事例において、基地局１１０２は、基地局コントローラ１１０６から通信を受信することによって、１つまたは複数のネットワークトラフィックパラメータを取得し得る。基地局１１０２がバックホールインターフェース１１０４により基地局コントローラ１１０６と通信するように適合された結果、トラフィック使用およびローディングなど、ネットワークトラフィックパラメータについての知識は、サイマルキャスト構成の変更が有益であるとき、サイマルキャスト構成を変更するように容易に交換することができる。この交換は、キャリア内で経時的に、またはキャリアの間で起こり得る。いくつかの例において、基地局コントローラ１１０６は、基地局１１０２と直接通信することによって、トラフィックシナリオに従って、いくつかのサイマルキャスト遠隔アンテナユニットおよびいくつかのデサイマルキャスト遠隔アンテナユニットの適切なグループ配信（たとえば、構成）を判断することができる。たとえば、基地局コントローラ１１０６は、遠隔アンテナユニット１１１８にわたるトラフィック使用を監視してよく、この情報を、トラフィック使用に従ってサイマルキャストおよびデサイマルキャストを最適に適用するのに使用すればよい。この例では、基地局コントローラ１１０６は、ネットワークトラフィックパラメータを、コマンドまたは命令の形で基地局１１０２に提供することができる。基地局１１０２（たとえば、基地局サイマルキャストコントローラモジュール１１１４）は、そうすることによって、これらの命令に従ってサイマルキャストグループ配信を容易に変更することができる。
【０１０２】
他の例では、基地局コントローラ１１０６は、バックホール接続１１０４により、ネットワークトラフィックパラメータを、トラフィック情報の形で基地局サイマルキャストコントローラモジュール１１１４に提供することができ、基地局サイマルキャストコントローラモジュール１１１４は、このトラフィック情報を使用して、受信トラフィック情報に従ってサイマルキャスト構成の変更に関する判断を内部的に行えばよい。つまり、基地局サイマルキャストコントローラモジュール１１１４は、トラフィック使用に対応する受信情報に基づいて、送信信号のルーティングパスの変更に関する判断を行うように適合され得る。
【０１０３】
１つまたは複数のネットワークトラフィックパラメータに応じて、基地局１１０２は、サイマルキャストグループ構成（１つまたは複数）をステップ１３０６で修正することができる。たとえば、基地局１１０２（たとえば、基地局サイマルキャストコントローラモジュール１１１４）は、サイマルキャストグループを、ダウンリンク送信をサイマルキャストするための少なくとも１つの異なる遠隔アンテナユニット１１１８を含むように修正してよい。つまり、基地局サイマルキャストコントローラモジュール１１１４は、サイマルキャストグループに含まれる１つまたは複数の遠隔アンテナユニット１１１８を削除および／または追加することができる。いくつかの例において、基地局サイマルキャストコントローラモジュール１１１４は、基地局セクタコントローラ１１１２から受信された送信信号のルーティングパスを、ダウンリンク送信をサイマルキャストするための異なる遠隔アンテナポート１１１６に送信するように変更することによって、サイマルキャストグループを修正するように適合され得る。
【０１０４】
上述したように、基地局サイマルキャストコントローラモジュール用のいくつかの構成は、複数の基地局と通信するように適合された、それ自体の処理システム６００として実行される基地局サイマルキャストコントローラモジュールを含む。図１４は、複数の基地局と通信するように適合された処理システムとして実行される基地局サイマルキャストコントローラモジュール１４０２を利用する分散アンテナシステム（ＤＡＳ）の選択構成要素を示すブロック図である。図１４によって示されるような構成は、ピコセル１４０４（たとえば、１４０４Ａ、１４０４Ｂ、および１４０４Ｃ）として利用される複数の基地局を有する分散アンテナシステム（ＤＡＳ）の実行に適切であり得る。つまり、図１１に示す基地局サイマルキャストコントローラモジュール１１１４は、概してマクロセルと呼ばれ得る基地局１１０２に統合され、たとえば、基地局セクタコントローラ１１１２を含むことによって、複数の基地局セクタを実行することが一般的である。一方、ピコセル１４０４（たとえば、１４０４Ａ、１４０４Ｂ、および１４０４Ｃ）は一般に、１つまたは２つの基地局セクタのためのコントローラを含み得る。図１４の図解において、各ピコセル１４０４Ａ、１４０４Ｂ、１４０４Ｃは、シングルセクタ基地局として示されるが、本開示の態様は、マルチセクタピコセルにも当てはまり得る。
【０１０５】
このアーキテクチャを用いると、ピコセル１４０４が分離されるので、図１１にある中心基地局サイマルキャストコントローラモジュール１１１４を含むアーキテクチャは必ずしも当てはまらない。依然として、本開示の様々な態様によると、ピコセル１４０４を連結するバックホールを通るダウンリンク送信のサイマルキャストのための何らかの調整が所望される場合がある。基地局サイマルキャストコントローラモジュール１４０２の１つまたは複数の機能的態様への参照が以下で行われるとき、そのような機能的態様は、図６に示すサイマルキャストグループ配信動作６１４を実行する処理回路６０２など、基地局サイマルキャストコントローラモジュール１４０２の処理回路によって実行され得ることを理解されたい。
【０１０６】
本開示のある態様によると、図１４に示すアーキテクチャは、基地局サイマルキャストコントローラモジュール１４０２を含み、モジュール１４０２は、複数のシングルセクタ基地局１４０４Ａ、１４０４Ｂ、および１４０４Ｃと、基地局コントローラ１４０６とに通信可能に結合される。基地局サイマルキャストコントローラモジュール１４０２は、たとえば、サイマルキャスト制御のために構成された非常に低い遅延および低帯域幅の接続を使用して、第１のバックホールインターフェース１４０８を通して複数のシングルセクタ基地局１４０４Ａ、１４０４Ｂ、および１４０４Ｃに通信可能に結合され得る。基地局サイマルキャストコントローラモジュール１４０２は、図６に関して上述した通信インターフェース６０４などの通信インターフェースを用いて、基地局コントローラ１４０６と複数の基地局１４０４とに通信可能に結合され得る。
【０１０７】
基地局コントローラ１４０６は、第２のバックホールインターフェース１４１０を通して、それぞれの基地局１４０４とも通信可能に結合され得る。ここで、第２のバックホールインターフェース１４１０は、基地局コントローラ１４０６と基地局１４０４との間のアップリンクおよびダウンリンクパケットの従来の通信のための低遅延接続であり得る。
【０１０８】
基地局サイマルキャストコントローラモジュール１４０２は、それぞれの基地局１４０４に、第１のバックホールインターフェース１４０８を介して、必要に応じて、それぞれの基地局１４０４からの、サイマルキャストまたはデサイマルキャストを実行するためのサイマルキャスト制御命令またはコマンドを与えるように適合され得る。サイマルキャスト制御命令は、１つまたは複数の取得されたトラフィックパラメータ（たとえば、基地局コントローラ１４０６によって提供されるトラフィック使用情報）に従い得る。さらに、基地局サイマルキャストコントローラモジュール１４０２は、基地局コントローラ１４０６に、２つ以上の基地局１４０４にわたって同じダウンリンクパケットをサイマルキャストで送るよう指示することができ、ここで２つ以上の基地局１４０４はすべて、サイマルキャスト用に同じセクタ識別（ＩＤ）を使う。図示するように、第１の基地局１４０４Ａは、そのセクタ（たとえば、セクタ１）からのダウンリンク送信をデサイマルキャストするために構成され、第２の基地局１４０４Ｂおよび第３の基地局１４０４Ｃは、異なるセクタ（たとえば、セクタ２）用のダウンリンク送信をサイマルキャストするように構成される。当然ながら、基地局サイマルキャストコントローラモジュール１４０２は、それぞれの基地局１４０４を、本開示の様々な態様に従って、どの適したサイマルキャスト構成にも構成することができる。さらに、図示する構成は、あるキャリア用に実行することができ、異なるキャリアが異なるグループ化構成を利用するように、異なるサイマルキャスト／デサイマルキャスト構成が、異なるキャリア用に実行されてよい。
【０１０９】
本開示のさらなる態様において、第２の基地局１４０４Ｂおよび第３の基地局１４０４Ｃなどの複数の基地局がサイマルキャストのために構成されるとき、基地局サイマルキャストコントローラモジュール１４０２は、マスターになるべき複数のサイマルキャスト基地局１４０４Ｂまたは１４０４Ｃのうち１つを選択すればよく、そうすることによって、サイマルキャストにおける他の基地局（１つまたは複数）はスレーブ（１つまたは複数）になる。ここで、サイマルキャストグループ中の選択されたマスター基地局は、スケジューラを稼働することができ、どのユーザが担当されることになるか選択することができる。さらに、基地局サイマルキャストコントローラモジュール１４０２は、マスター基地局によって選択されたユーザが、スレーブ基地局（１つまたは複数）に確実に知られるようにし、そうすることによってすべてのサイマルキャスト基地局が、サイマルキャスト基地局にわたる送信用に選択された同じユーザパケットを正しくフォーマットする。
【０１１０】
このアーキテクチャにおいて、すべての基地局１４０４および基地局サイマルキャストコントローラモジュール１４０２が、一般呼処理を管理する基地局コントローラ１４０６と直接通信しているので、トラフィック使用およびローディングについての知識は、必要とされたとき、サイマルキャスト構成を動的に変更するために容易に交換され得る。
【０１１１】
本明細書において上述したように、アップリンク信号は、アクセス端末からそれぞれの基地局１４０４へのアップリンク送信のための容量を向上させるように、各基地局１４０４とは別個に動作し得る。さらに、各基地局１４０４におけるモデムは、複数のキャリアにわたって動作し得るので、このアーキテクチャは、非依存サイマルキャスト構成がキャリアにわたって起こること、ならびに経時的にキャリアにわたってサイマルキャスト構成を動的に変更することを可能にする。概して、基地局サイマルキャストコントローラモジュール１４０２を含む本アーキテクチャは、例における遠隔アンテナユニットのうち１つまたは複数が本例における基地局１４０４によって実行され得ることを除いて、図２〜図５を参照して本明細書において上述した様々なサイマルキャスト配信のうちどれを実行するためにも利用することができる。つまり、基地局サイマルキャストコントローラモジュール１４０２は、図２〜図５を参照して上述した特徴および構成のうちいずれかを実行するために、サイマルキャスト基地局１４０４を選択するように適合され得る。
【０１１２】
本開示のさらなる態様において、図１４に示すアーキテクチャは、基地局１４０４を長距離遠隔アンテナユニットに結合するためのＲＦオーバーファイバ（RF-over-fiber）接続が必要とされないように、それぞれのバックホールインターフェース１４１０および１４０８を介した通信インターフェースを使用する。したがって、可変長光ファイバケーブルにわたる差分伝播遅延を処理するための特殊回路構成は、このアーキテクチャでは必要とされなくてよい。それにも関わらず、第２のバックホールインターフェース１４１０を介するバックホール信号の伝播についての距離の差分により、基地局サイマルキャストコントローラモジュール１４０２または基地局コントローラ１４０６のうちの少なくとも１つが、可変遅延を適切に扱うようにプロビジョニングされてよく、そうすることによって、それぞれの基地局１４０４からのサイマルキャストされた信号が、少なくとも実質的に同期される。
【０１１３】
本開示のさらなる態様は、基地局サイマルキャストコントローラモジュール１４０２などの基地局サイマルキャストコントローラモジュールのために動作可能な方法に関連する。図１５は、そのような方法の少なくとも１つの例を示す流れ図である。図１４および図１５を参照すると、基地局サイマルキャストコントローラモジュール１４０２は、ステップ１５０２で、共通（すなわち、同じ）セクタ識別（ＩＤ）をもつ、サイマルキャスト用の複数の基地局の各々にわたって同じダウンリンクパケットを送るよう基地局コントローラに指示するためのメッセージを、基地局コントローラに送ることができる。たとえば、処理回路（たとえば、図６に示すサイマルキャストグループ配信動作６１４を実行する処理回路６０２）は、基地局コントローラ１４０６に指示するためのメッセージを生成し、基地局コントローラ１４０６に送信するようになされ得る。送信メッセージは、複数のリモートに展開された基地局によって利用されるべきセクタＩＤを識別することもできる。
【０１１４】
様々な特徴によると、処理回路は、図２〜図５を参照して上述した様々な特徴に従って、複数の基地局を選択するようになされ得る。たとえば、処理回路は、あるセクタＩＤをもつ、第１のキャリア上でダウンリンク送信をサイマルキャストするための２つ以上の基地局からなる第１のグループと、同じセクタＩＤをもつ、第２のキャリア上でダウンリンク送信をサイマルキャストするための２つ以上の基地局からなる第２のグループとを含むように複数の基地局を選択するようになされ得る。第２のグループの少なくとも１つの基地局は、第１のグループを構成する２つ以上の基地局とは異なり得る。別の例では、処理回路は、少なくとも１つの基地局に関連付けられたカバレージエリアが、複数のうちの他の基地局のうちのいずれに関連付けられたカバレージエリアにも隣接しないように置かれたその少なくとも１つの基地局を含むように、複数の基地局を選択するようになされ得る。
【０１１５】
ステップ１５０４で、基地局サイマルキャストコントローラモジュール１４０２は、１つまたは複数のサイマルキャスト制御命令を複数の基地局に送ってよい。１つまたは複数のサイマルキャスト制御命令は、複数の基地局からのサイマルキャストを円滑にするためになされ得る。少なくとも１つの例において、処理回路（たとえば、図６のサイマルキャストグループ配信動作６１４を実行する処理回路６０２）は、バックホールインターフェース１４０８を介して、複数の基地局１４０４に１つまたは複数のサイマルキャスト制御命令を送るようになされ得る。
【０１１６】
いくつかの実行形態において、基地局サイマルキャストコントローラモジュール１４０２は、ステップ１５０６で示されるように、１つまたは複数のネットワークトラフィックパラメータを取得することができる。たとえば、処理回路（たとえば、図６のサイマルキャストグループ配信動作６１４を実行する処理回路６０２）は、トラフィックシナリオやネットワーク干渉トポロジなどのトラフィックパラメータを取得することができる。処理回路は、そのようなネットワークトラフィックパラメータを、基地局１４０４、基地局コントローラ１４０６、またはそれらの組合せから取得することができる。
【０１１７】
ステップ１５０８で、基地局サイマルキャストコントローラモジュール１４０２は、１つまたは複数のトラフィックパラメータに応じて、複数の基地局においてサイマルキャストを実行または修正することができる。たとえば、処理回路（たとえば、図６のサイマルキャストグループ配信動作６１４を実行する処理回路６０２）は、ネットワークトラフィックパラメータおよび／またはネットワークトラフィックパラメータに関連付けられた命令を評価し、それらのトラフィックの必要により、サイマルキャスト構成を応答可能に実行または修正することができる。
【０１１８】
１つまたは複数の他の実行形態によると、方法は、上述したように、マスター基地局と１つもしくは複数のスレーブ基地局とを選択し、かつ／または複数の基地局からのダウンリンク送信を同期させるためのステップも含み得る。そのような追加または代替ステップは、処理回路（たとえば、図６のサイマルキャストグループ配信動作６１４を実行する処理回路６０２）によって実施することができる。
【０１１９】
図１、図２、図３、図４、図５、図６、図７、図８、図９、図１０、図１１、図１２、図１３、図１４および／または図１５に示した構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本開示の範囲から逸脱することなく追加の要素、構成要素、ステップ、および／または機能を追加することができる。図１、図４、図６、図７、図８、図９、図１１、図１２および／または図１４に示した装置、デバイス、および／または構成要素は、図２、図３、図４、図５、図１０、図１３および／または図１５で説明した方法、特徴、またはステップのうちの１つまたは複数を実施するように構成され得る。本明細書で説明した新規のアルゴリズムはまた、効率的にソフトウェアで実行されおよび／またはハードウェアに組み込まれ得る。
【０１２０】
また、少なくともいくつかの実施形態が、フローチャート、流れ図、構造図、またはブロック図として示されたプロセスとして説明されてきたことに留意されたい。フローチャートは動作を逐次プロセスとして説明し得るが、動作の多くは並列または同時に実施され得る。さらに、動作の順序は並び替えられ得る。プロセスは、その動作が完了すると終了する。プロセスは、メソッド、関数、プロシージャ、サブルーチン、サブプログラムなどに対応し得る。プロセスが関数に対応する場合、その終了は呼出し側関数またはメイン関数への関数の復帰に対応する。
【０１２１】
さらに、本明細書で開示する実施形態に関連して説明した様々な例示的な論理ブロック、モジュール、回路、およびアルゴリズムステップは、ハードウェア、ソフトウェア、ファームウェア、ミドルウェア、マイクロコード、またはそれらのどの組合せとしても実行できることを、当業者は諒解されよう。この互換性を明確に示すために、様々な例示的な構成要素、ブロック、モジュール、回路、およびステップを、上記では概してそれらの機能に関して説明した。そのような機能をハードウェアとして実行するか、ソフトウェアとして実行するかは、特定の適用例および全体的なシステムに課せられた設計制約に依存する。
【０１２２】
「機械可読媒体」、「コンピュータ可読媒体」、および／または「プロセッサ可読媒体」という用語は、限定はしないが、ポータブルまたは固定記憶デバイス、光記憶デバイス、ならびに（１つまたは複数の）命令および／またはデータを記憶、含有または担持することが可能な様々な他の非一時的媒体を含み得る。したがって、本明細書で説明する様々な方法は、「機械可読媒体」、「コンピュータ可読媒体」、および／または「プロセッサ可読媒体」に記憶され、１つまたは複数のプロセッサ、機械および／またはデバイスによって実行され得る命令および／またはデータによって部分的にまたは完全に実行され得る。
【０１２３】
本明細書で説明した実施形態の様々な特徴は、本開示の範囲から逸脱することなく様々なシステムで実行され得る。上記の実施形態は例にすぎず、本開示を限定するものと解釈すべきではないことに留意されたい。実施形態についての説明は、例示的なものであり、特許請求の範囲を限定するものではない。したがって、本教示は、他のタイプの装置、ならびに多くの代替形態、修正形態、および変更形態に容易に適用できることが当業者には明らかであろう。
以下に、本願出願の当初の特許請求の範囲に記載された発明を付記する。
[Ｃ１]
互いから空間的に分離された複数の遠隔アンテナユニットと、
前記複数の遠隔アンテナユニットから選択された遠隔アンテナユニットの第１のグループであって、第１のキャリア上でセクタ識別（ＩＤ）をもつ、ダウンリンク送信をサイマルキャストするように適合された第１のグループと、
前記複数の遠隔アンテナユニットから選択された遠隔アンテナユニットの第２のグループであって、前記第２のグループの少なくとも１つの遠隔アンテナユニットが、前記第１のグループの前記遠隔アンテナユニットとは異なり、前記第２のグループが、前記第１のキャリアとは異なる第２のキャリア上で、前記セクタＩＤをもつ、ダウンリンク送信をサイマルキャストするように適合された第２のグループと、を備える分散アンテナシステム。
[Ｃ２]
前記複数の遠隔アンテナユニットが、少なくとも１つの基地局と通信可能に結合される、Ｃ１に記載の分散アンテナシステム。
[Ｃ３]
前記基地局が、前記第１のグループおよび前記第２のグループ用の前記サイマルキャストダウンリンク送信を円滑にするためのＲＦ接続マトリックスと結合される、Ｃ２に記載の分散アンテナシステム。
[Ｃ４]
前記ＲＦ接続マトリックスが、
第１のキャリア上での送信のために１つまたは複数の遠隔アンテナユニットに第１のダウンリンク送信をルーティングするように適合された第１のキャリア固有ＲＦ接続マトリックスモジュールと、
第２のキャリア上での送信のために１つまたは複数の遠隔アンテナユニットに第２のダウンリンク送信をルーティングするように適合された第２のキャリア固有ＲＦ接続マトリックスモジュールとを備える、Ｃ３に記載の分散アンテナシステム。
[Ｃ５]
前記基地局が、前記第１のグループおよび前記第２のグループ用の前記サイマルキャストダウンリンク送信を円滑にするための統合された基地局サイマルキャストコントローラモジュールを含む、Ｃ２に記載の分散アンテナシステム。
[Ｃ６]
前記複数の遠隔アンテナユニットが各々、それぞれの基地局に通信可能に結合され、各それぞれの基地局が、前記第１のグループおよび前記第２のグループ用の前記サイマルキャストダウンリンク送信を円滑にするための基地局サイマルキャストコントローラモジュール装置と結合される、Ｃ２に記載の分散アンテナシステム。
[Ｃ７]
前記第１のグループに含まれる少なくとも１つの遠隔アンテナユニットが、遠隔アンテナユニットの前記第２のグループにも含まれ、前記第１のグループを用いる前記第１のキャリア上と、前記第２のグループを用いる前記第２のキャリア上の両方でのダウンリンク送信をサイマルキャストするようになされる、Ｃ１に記載の分散アンテナシステム。
[Ｃ８]
ワイヤレス通信のための方法であって、
セクタ識別（ＩＤ）を利用する２つ以上の遠隔アンテナユニットからなる第１のグループを用いて、第１のキャリア上でダウンリンク送信をサイマルキャストすることと、
前記セクタＩＤを利用する２つ以上の遠隔アンテナユニットからなる第２のグループを用いて、第２のキャリア上でダウンリンク送信をサイマルキャストすることであって、前記第２のグループの少なくとも１つの遠隔アンテナユニットが、前記第１のグループの前記遠隔アンテナユニットとは異なる、ワイヤレス通信の方法。
[Ｃ９]
前記第１のグループが、２つ以上の遠隔アンテナユニットからなる前記第２のグループにも含まれる少なくとも１つの遠隔アンテナユニットを含む、Ｃ８に記載の方法。
[Ｃ１０]
少なくとも１つのネットワークトラフィックパラメータに応じて、前記第１のグループ、前記第２のグループ、または前記第１のグループと前記第２のグループの両方用の少なくとも１つの遠隔アンテナユニットを変更することをさらに備える、Ｃ８に記載の方法。
[Ｃ１１]
セクタ識別（ＩＤ）を利用する２つ以上の遠隔アンテナユニットからなる第１のグループを用いて、第１のキャリア上でダウンリンク送信をサイマルキャストするための手段と、
前記セクタＩＤを利用する２つ以上の遠隔アンテナユニットからなる第２のグループを用いて、第２のキャリア上でダウンリンク送信をサイマルキャストするための手段であって、前記第２のグループの少なくとも１つの遠隔アンテナユニットが、前記第１のグループの前記遠隔アンテナユニットとは異なる、手段とを備える分散アンテナシステム。
[Ｃ１２]
少なくとも１つのネットワークトラフィックパラメータに応じて、前記第１のグループ、前記第２のグループ、または前記第１のグループと前記第２のグループの両方用の少なくとも１つの遠隔アンテナユニットを変更するための手段をさらに備える、Ｃ１１に記載の分散アンテナシステム。
[Ｃ１３]
プロセッサ可読媒体を備えるコンピュータプログラム製品であって、
前記プロセッサ可読媒体が、
セクタ識別（ＩＤ）を利用する２つ以上の遠隔アンテナユニットからなる第１のグループを用いて、第１のキャリア上でダウンリンク送信をサイマルキャストするための命令と、
前記セクタＩＤを利用する２つ以上の遠隔アンテナユニットからなる第２のグループを用いて、第２のキャリア上でダウンリンク送信をサイマルキャストするための命令であって、前記第２のグループの少なくとも１つの遠隔アンテナユニットが、前記第１のグループの前記遠隔アンテナユニットとは異なる、命令とを備えるコンピュータプログラム製品。
[Ｃ１４]
前記第１のグループが、２つ以上の遠隔アンテナユニットからなる前記第２のグループにも含まれる少なくとも１つの遠隔アンテナユニットを含む、Ｃ１３に記載のコンピュータプログラム製品。
[Ｃ１５]
前記プロセッサ可読媒体が、
少なくとも１つのネットワークトラフィックパラメータに応じて、前記第１のグループ、前記第２のグループ、または前記第１のグループと前記第２のグループの両方用の少なくとも１つの遠隔アンテナユニットを変更するための命令をさらに備える、Ｃ１３に記載のコンピュータプログラム製品。
[Ｃ１６]
互いから空間的に分離された複数の遠隔アンテナユニットであって、互いと隣接しないそれぞれのカバレージエリアをもつ２つ以上の遠隔アンテナユニットが、ダウンリンク送信をサイマルキャストするようになされるアンテナユニットを備える分散アンテナシステム。
[Ｃ１７]
ダウンリンク送信をサイマルキャストするように適合された前記２つ以上の遠隔アンテナユニットの各々が、前記２つ以上の遠隔アンテナユニットとはサイマルキャストしない少なくとも１つの他の遠隔アンテナユニットをもつ互いとは分離される、Ｃ１６に記載の分散アンテナシステム。
[Ｃ１８]
前記複数の遠隔アンテナユニットが、前記２つ以上の遠隔アンテナユニット用の前記サイマルキャストダウンリンク送信を円滑にするためのＲＦ接続マトリックスと通信可能に結合される、Ｃ１６に記載の分散アンテナシステム。
[Ｃ１９]
前記ＲＦ接続マトリックスが、
第１のキャリア上での送信のために１つまたは複数の遠隔アンテナユニットに第１のダウンリンク送信をルーティングするように適合された第１のキャリア固有ＲＦ接続マトリックスモジュールと、
第２のキャリア上での送信のために１つまたは複数の遠隔アンテナユニットに第２のダウンリンク送信をルーティングするように適合された第２のキャリア固有ＲＦ接続マトリックスモジュールとを備える、Ｃ１８に記載の分散アンテナシステム。
[Ｃ２０]
前記複数の遠隔アンテナユニットが、前記２つ以上の遠隔アンテナユニットのための前記サイマルキャストダウンリンク送信を円滑にするための統合された基地局サイマルキャストコントローラモジュールを含む基地局と通信可能に結合される、Ｃ１６に記載の分散アンテナシステム。
[Ｃ２１]
前記複数の遠隔アンテナユニットの各々が、それぞれの基地局と通信可能に結合され、各それぞれの基地局が、前記２つ以上の遠隔アンテナユニットのための前記サイマルキャストダウンリンク送信を円滑にするための外部基地局サイマルキャストコントローラモジュール装置と結合される、Ｃ１６に記載の分散アンテナシステム。
[Ｃ２２]
ワイヤレス通信のための方法であって、
第１の遠隔アンテナユニットを用いてダウンリンク送信をサイマルキャストすることと、
第２の遠隔アンテナユニットを用いて前記ダウンリンク送信をサイマルキャストすることであって、前記第１の遠隔アンテナユニットと前記第２の遠隔アンテナユニットがサイマルキャストグループを形成し、前記第２の遠隔アンテナユニットに関連付けられたカバレージエリアが前記第１の遠隔アンテナユニットに関連付けられたカバレージエリアに隣接しないように、前記第２の遠隔アンテナユニットが位置付けられることとを備える方法。
[Ｃ２３]
少なくとも１つのネットワークトラフィックパラメータに応答して、前記サイマルキャストグループに少なくとも１つの追加遠隔アンテナユニットを追加することをさらに備える、Ｃ２２に記載の方法。
[Ｃ２４]
前記サイマルキャストグループが１つまたは複数の他の遠隔アンテナユニットを含み、
少なくとも１つのネットワークトラフィックパラメータに応答して、前記サイマルキャストグループから少なくとも１つの遠隔アンテナを削除することをさらに備える、Ｃ２２に記載の方法。
[Ｃ２５]
第１の遠隔アンテナユニットを用いてダウンリンク送信をサイマルキャストするための手段と、
第２の遠隔アンテナユニットを用いて前記ダウンリンク送信をサイマルキャストするための手段であって、前記第１の遠隔アンテナユニットと前記第２の遠隔アンテナユニットがサイマルキャストグループを形成し、前記第２の遠隔アンテナユニットに関連付けられたカバレージエリアが前記第１の遠隔アンテナユニットに関連付けられたカバレージエリアに隣接しないように、前記第２の遠隔アンテナユニットが位置付けられる、手段とを備える分散アンテナシステム。
[Ｃ２６]
プロセッサ可読媒体を備えるコンピュータプログラム製品であって、
前記プロセッサ可読媒体が、
複数の遠隔アンテナユニットを用いてダウンリンク送信をサイマルキャストするための命令であって、前記遠隔アンテナユニットのうちの少なくとも１つが、前記少なくとも１つの遠隔アンテナユニットに関連付けられたカバレージエリアが、前記複数の遠隔アンテナユニットのその他の遠隔アンテナユニットのいずれかに関連付けられたカバレージエリアに隣接しないように位置付けられる命令を備えるコンピュータプログラム製品。
【図１】
0006001076.tif 000002
【図２】
0006001076.tif 000003
【図３】
0006001076.tif 000004
【図４】
0006001076.tif 000005
【図５】
0006001076.tif 000006
【図６】
0006001076.tif 000007
【図７】
0006001076.tif 000008
【図８】
0006001076.tif 000009
【図９】
0006001076.tif 000010
【図１０】
0006001076.tif 000011
【図１１】
0006001076.tif 000012
【図１２】
0006001076.tif 000013
【図１３】
0006001076.tif 000014
【図１４】
0006001076.tif 000015
【図１５】
0006001076.tif 000016